(57)【要約】【課題】多種多様で膨大な情報をその著作権の保護を図りながら、より自由で容易な情報の利用を可能とする電子機器システム、情報処理システム及び電子機器を提供すること。【解決手段】電子機器システム１は暗号化されたデータ例えば楽曲等を復号化する鍵情報例えば解読鍵情報等を記録する記録媒体３と、その暗号化されたデータを入手し鍵情報に基づき暗号化されたデータの再生を制御する手段を有する電子機器例えば再生装置２とを別々なものとした。【選択図】  図１
2004350161.tif 000002
【特許請求の範囲】
【請求項１】
（ａ）暗号化されたデータを復号化する鍵情報を少なくとも記録する第１の記録媒体と、
（ｂ）前記暗号化されたデータを入手する手段と、
前記入手手段により入手された暗号化されたデータを再生し出力する手段と、
前記第１の記録媒体が着脱される第１のインターフェース手段と、
少なくとも前記第１のインターフェース手段に装着された前記第１の記録媒体に記録された前記鍵情報に基づき、前記入手手段により入手された暗号化されたデータの再生を制御する手段と、
を有する電子機器と
を具備することを特徴とする電子機器システム。
【請求項２】
請求項１に記載の電子機器システムにおいて、
前記電子機器は、
少なくとも前記暗号化されたデータの再生に関する条件を定めた再生条件情報を入力する手段を更に有し、
前記再生条件情報に応じて、前記暗号化されたデータが再生されることを特徴とする電子機器システム。
【請求項３】
請求項１に記載の電子機器システムにおいて、
（ｃ）前記暗号化されたデータを記録する第２の記録媒体を更に有し、
前記入手手段は、
前記第２の記録媒体と前記電子機器とを接続するための第２のインターフェース手段と、
前記第２のインターフェース手段により前記第２の記録媒体に記録される暗号化されたデータを入手する手段と、
を有することを特徴とする電子機器システム。
【請求項４】
請求項１に記載の電子機器システムにおいて、
前記入手手段は、
少なくとも前記暗号化されたデータを提供することができるネットワークと接続可能な情報機器と前記電子機器とを接続するための第３のインターフェース手段と、
前記第３のインターフェース手段により前記ネットワークにより提供される暗号化されたデータを入手する手段と、
を有することを特徴とする電子機器システム。
【請求項５】
請求項４に記載の電子機器システムにおいて、
前記鍵情報は、前記第３のインターフェース手段により入手するものであることを特徴とする電子機器システム。
【請求項６】
請求項１に記載の電子機器システムにおいて、
前記第１の記録媒体には、前記暗号化されたデータの提供先を特定する特定情報が記録されることを特徴とする電子機器システム。
【請求項７】
請求項１に記載の電子機器システムにおいて、
前記電子機器は、前記暗号化されたデータの再生が終了したときは前記鍵情報が削除されるものであることを特徴とする電子機器システム。
【請求項８】
暗号化されたデータを記録する第１の記録媒体と、
前記暗号化されたデータを復号化するための鍵情報を記録する第２の記録媒体と、
前記第１の記録媒体および第２の記録媒体を装着可能で、かつ前記第２の記録媒体に記録された前記鍵情報を使用して、前記第１の記録媒体に記録される暗号化されたデータを復号化して再生する再生装置とを有し、
上記第２の記録媒体に記録された鍵情報は、上記再生装置に設けられた外部接続用の入力手段を通じて入力され、第２の記録媒体に記録されることを特徴とする情報処理システム。
【請求項９】
請求項８に記載の情報処理システムにおいて、
前記鍵情報を配信するサーバーと、
配信された鍵情報を受信する受信装置とを更に含み、
上記再生装置は、上記受信装置から入力される鍵情報を第２の記録媒体に記録することを特徴とする情報処理システム。
【請求項１０】
請求項８に記載の情報処理システムにおいて、
前記第２の記録媒体には、前記鍵情報に加えて、前記第１の記録媒体に記録される暗号化されたデータの再生に関する条件を定めた再生条件情報が記録されることを特徴とする情報処理システム。
【請求項１１】
暗号化されたデータを記録する第１の記録媒体と、
前記暗号化されたデータを復号化するための鍵情報を記録する第２の記録媒体と、
前記鍵情報を配信する配信装置と、
配信された前記鍵情報を受信し、受信した鍵情報を第２の記録媒体に記録する記録手段を有する受信装置と、
前記第１の記録媒体および第２の記録媒体を装着可能で、かつ前記第２の記録媒体に記録された前記鍵情報を使用して、前記第１の記録媒体に記録される暗号化されたデータを復号化して再生する再生装置と、
を有することを特徴とする情報処理システム。
【請求項１２】
暗号化されたデータを入手する手段と、
前記入手手段により入手された暗号化されたデータを再生し出力する手段と、前記暗号化されたデータを復号化する鍵情報を少なくとも記録する第１の記録媒体が着脱される第１のインターフェース手段と、
少なくとも前記第１のインターフェース手段に装着された前記第１の記録媒体に記録された鍵情報に基づき、前記入手手段により入手された暗号化されたデータの再生を制御する手段と、
を具備することを特徴とする電子機器。
【請求項１３】
請求項１２に記載の電子機器において、
前記鍵情報は、前記暗号化されたデータの再生が終了したときは削除されるものであることを特徴とする電子機器。
【請求項１４】
請求項１３に記載の電子機器において、
前記第１の記録媒体には、前記暗号化されたデータの提供先を特定する特定情報が記録され、前記特定情報に基づいて前記暗号化されたデータを入手することを特徴とする電子機器。
【発明の詳細な説明】
【０００１】
【発明の属する技術分野】
本発明は、例えば情報の記録、再生に用いられる電子機器システム、情報処理システム及び電子機器に関する。
【０００２】
【従来の技術】
現在、光ディスク等の記録媒体及び電子機器の発達により多種多様な例えば楽曲データをユーザーは利用することが可能となると共に、インターネット等のネットワークの発達により多数の楽曲データを蓄積した楽曲配信サーバーから、楽曲データの配信サービスを受けることが可能となっている。
（例えば、特許文献１参照。）。
【０００３】
【特許文献１】
特開２０００−９００３９号公報（段落［０００２］から［００２０］、図１）。
【０００４】
【発明が解決しようとする課題】
しかしながら、例えば楽曲の著作権保護の観点等からある記録媒体での再生が可能となった楽曲でありながら別の記録媒体では再生できなかったり、或は異なる電子機器では再生できない等ユーザーの利用には制限があり、必ずしも多種多様で膨大な情報を十分かつ容易に利用し切れないという問題があった。
【０００５】
本発明は、上述の課題に鑑みてなされるもので、多種多様で膨大な情報をその著作権の保護を図りながら、より自由で容易な情報の利用を可能とする電子機器システム、情報処理システム及び電子機器を提供することを目的とする。
【０００６】
【課題を解決するための手段】
上記目的を達成するために、本発明の主たる観点に係る電子機器システムは、（ａ）暗号化されたデータを復号化する鍵情報を少なくとも記録する第１の記録媒体と、（ｂ）前記暗号化されたデータを入手する手段と、前記入手手段により入手された暗号化されたデータを再生し出力する手段と、前記第１の記録媒体が着脱される第１のインターフェース手段と、少なくとも前記第１のインターフェース手段に装着された前記第１の記録媒体に記録された前記鍵情報に基づき、前記入手手段により入手された暗号化されたデータの再生を制御する手段と、を有する電子機器とを具備することを特徴とする。
【０００７】
ここで暗号化されたデータとは、例えば暗号化された楽曲等の音響情報、静止画及び動画等の映像情報及び文字情報等をいうものとし、第１のインターフェース手段とは例えば電子機器の制御部と第１の記録媒体とを接続するものをいうものとする。
【０００８】
本発明では、暗号化されたデータを復号化する鍵情報を記録する第１の記録媒体と、その暗号化されたデータを入手し鍵情報に基づき暗号化されたデータの再生を制御する手段を有する電子機器とを別々なものとしたので、第１の記録媒体を装着できる電子機器であれば、その電子機器の種類を選ばず再生できる。
【０００９】
更に暗号化されたデータの入手手段と第１の記録媒体とを別々のものとしたので、その入手手段によらず例えば異なる記録媒体による情報入手であっても、再生が可能であり著作権の保護を図りながらより自由で容易な楽曲等の情報の利用を可能とできる。
【００１０】
本発明の一の形態によれば、前記電子機器は、少なくとも前記暗号化されたデータの再生に関する条件を定めた再生条件情報を入力する手段を更に有し、前記再生条件情報に応じて、前記暗号化されたデータが再生されることを特徴とする。これにより、ユーザーの要望により対応した再生を可能とすると共に、再生回数等の再生条件情報のチェックにより著作権の保護を図ることが可能となる。
【００１１】
本発明の一の形態によれば、（ｃ）前記暗号化されたデータを記録する第２の記録媒体を更に有し、前記入手手段は、前記第２の記録媒体と前記電子機器とを接続するための第２のインターフェース手段と、前記第２のインターフェース手段により前記第２の記録媒体に記録される暗号化されたデータを入手する手段と、を有することを特徴とする。これにより、第２の記録媒体例えば光ディスクに多数の楽曲を収録し格安にユーザーに配布できる。しかも、収録された楽曲を例えば一部暗号化して試聴のみできるものとすれば、ユーザーは試聴して自分の欲しい楽曲のみを鍵情報等を入手して再生できるので、ユーザーの利便性を増加させると共に著作権の保護をより図れることとなる。尚、第２のインターフェース手段とは、例えば光ディスクと電子機器とを繋ぐもの等をいうものとする。
【００１２】
本発明の一の形態によれば、前記入手手段は、少なくとも前記暗号化されたデータを提供することができるネットワークと接続可能な情報機器と前記電子機器とを接続するための第３のインターフェース手段と、前記第３のインターフェース手段により前記ネットワークにより提供される暗号化されたデータを入手する手段と、を有することを特徴とする。これにより、例えばＷｅｂ（Ｗｏｒｌｄ  Ｗｉｄｅ  Ｗｅｂ）上で公開されている多種多様なコンテンツを入手できる。また、情報機器として例えば携帯電話を用いるときは、鍵情報等が記録された第１の記録媒体さえ用意すれば、著作権の保護を確保しながら場所や時間を選ばず好きな楽曲を復号化して再生できることとなる。尚、第３のインターフェース手段とは例えば携帯電話と電子機器とを接続するもの等をいうものとする。
【００１３】
本発明の一の形態によれば、前記鍵情報は、前記第３のインターフェース手段により入手するものであることを特徴とする。これにより、例えばネットワークを介し鍵情報等を提供するサーバーから鍵情報等を電子機器に送信させることが可能となり、鍵情報等をユーザーが安全かつ迅速に入手できる。また、鍵情報である解読鍵の利用により楽曲等の著作権の保護が向上できる。
【００１４】
本発明の一の形態によれば、前記第１の記録媒体には、前記暗号化されたデータの提供先を特定する特定情報が記録されることを特徴とする。これにより、例えば一々詳細情報をユーザーが入力する手間を省けると共に、その暗号化されたデータ自身にのみ有効な識別情報とできるので、不正なコピー等を防ぎその楽曲等の著作権の保護をより図れることとなる。
【００１５】
本発明の一の形態によれば、前記電子機器は、前記暗号化されたデータの再生が終了したときは前記鍵情報が削除されるものであることを特徴とする。これにより、所定の暗号化されたデータを復号化するために電子機器自体に鍵情報を取り込んだとしても、再生が終了したときは電子機器自体からその鍵情報を削除するので、鍵情報等が違法に複製されること等が防げる。
【００１６】
本発明の他の観点に係る情報処理システムは、暗号化されたデータを記録する第１の記録媒体と、前記暗号化されたデータを復号化するための鍵情報を記録する第２の記録媒体と、前記第１の記録媒体および第２の記録媒体を装着可能で、かつ前記第２の記録媒体に記録された前記鍵情報を使用して、前記第１の記録媒体に記録される暗号化されたデータを復号化して再生する再生装置とを有し、上記第２の記録媒体に記録された鍵情報は、上記再生装置に設けられた外部接続用の入力手段を通じて入力され、第２の記録媒体に記録されることを特徴とする。
【００１７】
本発明では、暗号化されたデータを復号化するための鍵情報が再生装置に設けられた外部接続用の入力手段を通じて入力され、第２の記録媒体に記録される。
【００１８】
また、暗号化されたデータを記録する第１の記録媒体および第２の記録媒体を装着可能で、かつ第２の記録媒体に記録された鍵情報を使用して、第１の記録媒体に記録される暗号化されたデータを復号化して再生する再生装置を有することとしたので、第１の記録媒体および第２の記録媒体を装着可能であればその再生装置の種類を選ばず再生できることとなる。
【００１９】
更に暗号化されたデータを記録する第１の記録媒体と第２の記録媒体とを別々のものとしたので、例えば異なる記録媒体による情報入手であっても、再生が可能であり著作権の保護を図りながら、より自由で容易な楽曲等の情報の利用を可能とできる。
【００２０】
本発明の一の形態によれば、前記鍵情報を配信するサーバーと、配信された鍵情報を受信する受信装置とを更に含み、上記再生装置は、上記受信装置から入力される鍵情報を第２の記録媒体に記録することを特徴とする。これにより、例えばネットワークを介し鍵情報を配信するサーバーから、鍵情報を受信装置で受信し、その受信した鍵情報を再生装置は受信装置から入力し第２の記録媒体に記録することが可能となり、鍵情報等をユーザーが安全かつ迅速に入手できる。また、鍵情報である解読鍵の利用により楽曲等の著作権の保護が向上できる。
【００２１】
本発明の一の形態によれば、前記第２の記録媒体には、前記鍵情報に加えて、前記第１の記録媒体に記録される暗号化されたデータの再生に関する条件を定めた再生条件情報が記録されることを特徴とする。これにより、ユーザーの要望により対応した再生を可能とすると共に、再生回数等の再生条件情報のチェックにより著作権の保護を図ることが可能となる。
【００２２】
本発明の他の観点に係る情報処理システムは、暗号化されたデータを記録する第１の記録媒体と、前記暗号化されたデータを復号化するための鍵情報を記録する第２の記録媒体と、前記鍵情報を配信する配信装置と、配信された前記鍵情報を受信し、受信した鍵情報を第２の記録媒体に記録する記録手段を有する受信装置と、前記第１の記録媒体および第２の記録媒体を装着可能で、かつ前記第２の記録媒体に記録された前記鍵情報を使用して、前記第１の記録媒体に記録される暗号化されたデータを復号化して再生する再生装置と、を有することを特徴とする。
【００２３】
本発明では、暗号化されたデータを復号化するための鍵情報は配信装置により配信され、その配信された鍵情報を受信装置が受信し第２の記録媒体に記録する。
【００２４】
また、暗号化されたデータを記録する第１の記録媒体および第２の記録媒体を装着可能で、かつ第２の記録媒体に記録された鍵情報を使用して、第１の記録媒体に記録される暗号化されたデータを復号化して再生する再生装置を有することとしたので、第１の記録媒体および第２の記録媒体を装着可能であればその再生装置の種類を選ばず再生できることとなる。
【００２５】
更に暗号化されたデータを記録する第１の記録媒体と第２の記録媒体とを別々のものとしたので、例えば異なる記録媒体による情報入手であっても、再生が可能であり著作権の保護を図りながら、より自由で容易な楽曲等の情報の利用を可能とできる。
【００２６】
また、配信装置から鍵情報が配信されるので、鍵情報をユーザーが安全かつ迅速に入手できると共に、鍵情報である解読鍵の利用により楽曲等の著作権の保護が向上できる。
【００２７】
本発明の他の観点に係る電子機器は、暗号化されたデータを入手する手段と、前記入手手段により入手された暗号化されたデータを再生し出力する手段と、前記暗号化されたデータを復号化する鍵情報を少なくとも記録する第１の記録媒体が着脱される第１のインターフェース手段と、少なくとも前記第１のインターフェース手段に装着された前記第１の記録媒体に記録された鍵情報に基づき、前記入手手段により入手された暗号化されたデータの再生を制御する手段と、を具備することを特徴とする。
【００２８】
本発明では、暗号化されたデータを復号化する鍵情報を記録する第１の記録媒体が着脱される第１のインターフェース手段を設けたので、その暗号化されたデータを入手し鍵情報に基づき暗号化されたデータの再生を制御する手段を有する電子機器と第１の記録媒体とが別々なものとなり、第１の記録媒体を装着できる電子機器であれば、その電子機器の種類を選ばず再生できる。
【００２９】
また、その暗号化されたデータの入手手段によらず例えば異なる記録媒体による情報入手であっても、再生が可能であり著作権の保護を図りながらより自由で容易な楽曲等の情報の利用を可能とできる。
【００３０】
本発明の一の形態によれば、前記鍵情報は、前記暗号化されたデータの再生が終了したときは削除されるものであることを特徴とする。これにより、所定の暗号化されたデータを復号化するために電子機器自体に鍵情報を取り込んだとしても、再生が終了したときは電子機器自体からその鍵情報を削除するので、鍵情報等が違法に複製されること等が防げる。
【００３１】
本発明の一の形態によれば、前記第１の記録媒体には、前記暗号化されたデータの提供先を特定する特定情報が記録され、前記特定情報に基づいて前記暗号化されたデータを入手することを特徴とする。これにより、例えば一々詳細情報をユーザーが入力する手間を省けると共に、その暗号化されたデータ自身にのみ有効な識別情報とできるので、不正なコピー等を防ぎその楽曲等の著作権の保護をより図れることとなる。
【００３２】
【発明の実施の形態】
以下、本発明の実施の形態を図面に基づき説明する。尚、以下に実施形態を説明するにあたっては、電子機器システムの電子機器の例としての再生装置を中心に説明するが、これに限られるものではない。また、暗号化されたデータが記録された記録媒体の例として光ディスクについて説明するが、無論光ディスクに限られるものでもない。
【００３３】
図１は本発明の第１の実施形態に係る電子機器システムの概略説明図、図２は再生装置の外観説明図、図３は再生装置の概略斜視図、図４は携帯電話の外観説明図、図５は電子機器システムの概略ブロック図、図６は記録媒体に解読鍵を記録する場合のフローチャート及び図７は再生装置で例えば楽曲を再生する場合のフローチャートである。
【００３４】
図１に示すように電子機器システム１は、例えば再生装置２、再生装置２に着脱可能な鍵情報等が記録される記録媒体（以下単に「記録媒体」という。）３、再生装置２により再生することができる暗号化されたデータ例えば暗号化された楽曲等が記録された記録媒体例えば光ディスク４、例えば暗号化された楽曲等のデータを復号化する鍵情報や暗号化された再生条件等のデータを復号化する情報等（以下単に「解読鍵情報」という。）等を生成し再生装置２に送信するサーバー５、そのサーバー５と再生装置２とをつなぐ携帯電話８０及びインターネット等のネットワーク７等により構成されている。
【００３５】
ここで、再生装置２は例えば図２、図３及び図５に示すように回転する光ディスク４の信号記録面に対し光線を照射し、その信号記録面からの戻り光線により記録信号を再生する光学ピックアップ部８、光ディスク４を回転させたりする駆動部９、操作情報等を入力したり音響情報、映像情報及び文字情報等を出力する入出力部１０、記録媒体３等との情報のやり取りをするインターフェース部１１及び情報の入出力や選択等を制御する制御部１２等を有する。
【００３６】
また、入出力部１０は例えば希望の楽曲や再生条件を選択等し入力する操作部１３、映像情報及び文字情報等を表示する表示部１４及び例えば楽曲等を出力する音響出力装置１５等を備える。
【００３７】
更に操作部１３は、例えば再生装置２の本体前面に配置された操作ボタン１６、再生装置２の本体側面に配置された回転式のダイヤル１７等を有する。操作ボタン１６は電源の投入や楽曲、再生条件等を制御部１２の制御下選択し実行させるものであり、ダイヤル１７は片手で再生装置２を持ちながら簡単に楽曲、再生条件等を制御部１２の制御下選択し実行させることができる。
【００３８】
表示部１４は、例えば図２及び図３に示すように再生装置２の本体前面に表示面１８がくるように形成されており、例えば楽曲や再生条件等の文字情報やゲーム等の映像情報等が制御部１２の制御下表示され、カラー液晶表示装置等が用いられている。
【００３９】
また、音響出力装置１５は例えば図３に示すように再生装置２の本体側面に配置された出力端子１９を有し、図示しないヘッドホンを接続して楽曲等を聴くことができる。勿論、音響出力装置１５は再生装置２の本体にスピーカーを設け、再生装置２自体で楽曲を聴くこともできる。
【００４０】
更に表示部１４や操作ボタン１６等は再生装置２本体に備えず、再生装置２本体に着脱可能に接続された図示しないリモコン装置に備えても良い。これにより、再生装置２本体自体をより小型化、軽量化等が可能となる。勿論、表示部１４や操作ボタン１６等を再生装置２本体とリモコン装置との双方に備えても良い。
【００４１】
尚、例えば操作ボタン１６の位置や個数更に表示面１８の位置や大きさは説明の都合上のものであり図２及び図３の示すものに限られるものではない。
【００４２】
インターフェース部１１は、例えば図２、図３及び図５に示すように記録媒体３と制御部１２等とを接続する第１インターフェース２０及びその記録媒体３の着脱ができるようにメモリスロット２１を備え、更に光ディスク４と制御部１２等とを接続する第２インターフェース２２及び携帯電話等と制御部１２等とを接続する第３インターフェース２３等を備えている。尚、第３インターフェース２３はケーブルによる接続或は無線でつなぐ方式（Ｂｌｕｅｔｏｏｔｈ等）等に対応させることができる。これによって、より操作が容易となる。
【００４３】
また、メモリスロット２１は後述する解読鍵取得・削除機構からの解読鍵情報等の削除の情報により、メモリスロット２１に装着された記録媒体３の排出をロックする図示しないロック機構が外れるようになっている。
【００４４】
また、制御部１２は例えば図５に示すように演算と制御とをするＣＰＵ（Ｃｅｎｔｒａｌ  Ｐｒｏｃｅｓｓｉｎｇ  Ｕｎｉｔ）２４、必要に応じて一時的に音響情報、鍵情報である解読鍵、各種データ及びソフト等を記録し、電子機器である再生装置２の制御をより円滑に行うＲＡＭ（Ｒａｎｄｏｍ  Ａｃｃｅｓｓ  Ｍｅｍｏｒｙ）２５、ＲＯＭ（Ｒｅａｄ  Ｏｎｌｙ  Ｍｅｍｏｒｙ）２６、データ格納部２７及び各種のソフトウエアが格納されたソフトウエア格納部２８が備えられている。
【００４５】
ここで、データ格納部２７には例えば図５に示すように必要に応じて再生装置２を使用した履歴が、例えばどのような音響情報や映像情報等を復号化して何回再生した等のデータとしての履歴データ２９が格納されている。更に課金情報が課金データ３０として格納されている。これによって、光ディスク４を再生する前にも履歴データを読み出させて所定の楽曲が後何回聴けるか等の情報を得ることが可能となる。また、課金情報を表示させることによって、いくら支払ったか或は支払わなければならないか表示させることができる。
【００４６】
更にソフトウエア格納部２８は、例えば図５に示すように入力情報読込み機構３１、画像表示機構３２、再生機構３３、解読鍵取得・削除機構３４及びデータ送信機構３５等を有する。
【００４７】
入力情報読込み機構３１は、ＣＰＵ２４の制御下例えば第２インターフェース２２を介して送信された楽曲データや再生条件等を読込み、そのデータの全部或は一部が暗号化されているか判断しその結果を画像表示機構３２等に伝える。
【００４８】
また、入力情報読込み機構３１はＣＰＵ２４の制御下例えば記録媒体３からの解読鍵等の情報等を第１インターフェース２０を介して読込み、その読込んだ情報を再生機構３３、解読鍵取得・削除機構３４等に受け渡すこと等ができる。
【００４９】
更に入力情報読込み機構３１は、ＣＰＵ２４の制御下例えば操作部１３の操作ボタン１６やダイヤル１７からの入力情報を読込み、再生対象の楽曲及び再生条件を特定しその情報を再生機構３３、解読鍵取得・削除機構３４等に受け渡すこともできる。
【００５０】
画像表示機構３２は、ＣＰＵ２４の制御下例えば入力情報読込み機構３１により読込まれた楽曲情報や再生条件等の文字情報、ゲーム等の映像情報等を表示部１４の表示面１８に画像情報として表示させることができる。
【００５１】
また、再生機構３３はＣＰＵ２４の制御下例えば再生対象の楽曲及び再生条件を特定した情報を入力情報読込み機構３１から受取ったときは、その再生条件が試聴であるときは例えば楽曲の再生開始から３０秒程度の暗号化されていないデータを再生するように、第２インターフェース２２を介して駆動部９及び光学ピックアップ部８に情報を送る。
【００５２】
これによって、ＣＰＵ２４の制御下例えば光学ピックアップ部８が所定の位置に移動し光ディスク４を回転させて、その楽曲情報を制御部１２に送ってくるので、再生機構３３はその再生データを入出力部１０の音響出力装置１５に受渡し、例えば出力端子１９に接続したヘッドホンで聴くことが可能となる。
【００５３】
更に再生機構３３は、その再生条件が暗号化された部分も含め聴くものであるときは、ＣＰＵ２４の制御下例えば記録媒体３から再生しようとする楽曲等に個別的に付けられた情報（以下「特定情報」という。）で暗号化された特定情報を読込む。
【００５４】
また、再生機構３３は光ディスク４から光学ピックアップ部８等により受け渡された暗号化された特定情報と記録媒体３から読込まれた特定情報とを夫々復号化し、双方を比較し一致するか判断することができる。これにより、記録媒体３に記録された特定の楽曲に関する解読鍵情報が、再生しようとする光ディスク４に記録された楽曲の適法な解読鍵情報であることが確認できることとなる。
【００５５】
次に、再生機構３３は暗号化された解読鍵情報を入手し復号化し、復号化された解読鍵情報で再生しようとする楽曲がその再生条件で復号化できるか判断する。
【００５６】
再生機構３３は、復号化できると判断したときは第２インターフェース２２を介して光学ピックアップ部８から送られてくる情報を再生しながら復号化し、その復号化された楽曲情報を入出力部１０の音響出力装置１５に受け渡す。これにより、例えば出力端子１９に接続したヘッドホンで、希望の楽曲を希望する再生条件で聴くことが可能となる。
【００５７】
また、解読鍵取得・削除機構３４はＣＰＵ２４の制御下、入力情報読込み機構３１から暗号化された楽曲の復号化をする解読鍵情報を入手するとの情報と復号化しようとする楽曲のＵＲＬ、その楽曲の再生条件、その楽曲の暗号化された特定情報及び個人情報等とを受取ったときは、その受取った情報を解読鍵生成情報としてデータ送信機構３５に受け渡す。
【００５８】
更に解読鍵取得・削除機構３４はＣＰＵ２４の制御下、入力情報読込み機構３１に読込まれた解読鍵情報を記録媒体３に書き込むことができる。
【００５９】
また、解読鍵取得・削除機構３４はＣＰＵ２４の制御下、再生機構３３から再生が終了したとの情報を受取ったときは、暗号化して例えばどの楽曲をどういう再生条件で何時何回再生したか等の新再生情報を記録媒体３に書き込むことができる。
【００６０】
更に解読鍵取得・削除機構３４は、ＣＰＵ２４の制御下、新再生情報の書き込みがなされたと判断したときは、一時的にＲＡＭ２５等に格納された解読鍵のデータを削除する。これによって、記録媒体３と独立して何れかの再生装置２に同じ解読鍵が存在することを防ぐことができ、違法な楽曲の復号化を防ぎ著作権の保護を図ることができる。
【００６１】
また、データ送信機構３５はＣＰＵ２４の制御下例えば解読鍵取得・削除機構３４から解読鍵生成情報を受取ったときは、例えば携帯電話８０を介しサーバー５に送信する。すると所定の手続きを経て解読鍵の生成条件に適合すれば、サーバー５から解読鍵が再生装置２の制御部１２に送付される。
【００６２】
更に記録媒体３は、記録素子として例えばフラッシュメモリを用いた記録媒体等であり、解読鍵情報と特定情報や新再生情報等（以下単に「解読鍵情報等」という。）を記録する記録媒体である。
【００６３】
また、光ディスク４は例えばＣＤ（Ｃｏｍｐａｃｔ  Ｄｉｓｃ）やＭＤ（Ｍｉｎｉ−Ｄｉｓｃ）等を使用できる。更にＡＴＲＡＣ３（Ａｄａｐｔｉｖｅ  Ｔｒａｎｆｏｒｍ  Ａｃｏｕｓｔｉｃ  Ｃｏｄｉｎｇ  ３：商標）やＡＴＲＡＣ３ｐｌｕｓ（Ａｄａｐｔｉｖｅ  Ｔｒａｎｆｏｒｍ  Ａｃｏｕｓｔｉｃ  Ｃｏｄｉｎｇ  ３ｐｌｕｓ：商標）により圧縮された楽曲を記録したＣＤやＭＤも使用可能である。これによって、１枚の光ディスク４に大量の例えば楽曲を収録でき、より多くのユーザーに対応できる。
【００６４】
次に、サーバー５は例えば解読鍵情報等を生成し、再生装置２に送信すること等を主たる目的とするものであり、例えば図５に示すようにキーボード、ディスプレー及びスピーカー等の入出力部３６、携帯電話８０等とネットワーク７を介して情報のやり取りをするインターフェース部３７及び情報の入出力や解読鍵生成等を制御する制御部３８等を有する。
【００６５】
ここで、制御部３８は例えば図５に示すように演算と制御とをするＣＰＵ（Ｃｅｎｔｒａｌ  Ｐｒｏｃｅｓｓｉｎｇ  Ｕｎｉｔ）３９、必要に応じて一時的に解読鍵、各種データ及びソフト等を記録し、電子機器であるサーバー５の制御をより円滑に行うＲＡＭ（Ｒａｎｄｏｍ  Ａｃｃｅｓｓ  Ｍｅｍｏｒｙ）４０、ＲＯＭ（Ｒｅａｄ  Ｏｎｌｙ  Ｍｅｍｏｒｙ）４１、データ格納部４２及び各種のソフトウエアが格納されたソフトウエア格納部４３が備えられている。
【００６６】
ここで、データ格納部４２には例えば図５に示すように認証データ４４、再生対象・条件データ４５、課金データ４６及び解読鍵生成データ４７等が備えられている。
【００６７】
ここで、認証データ４４は例えばその楽曲が記録された記録媒体と関係付けられて、再生しようとする楽曲に個別的に付けられ暗号化された特定情報と同じ情報が格納されデータベース化されていて、再生装置２から携帯電話８０を介して送信された楽曲等を特定する暗号化された特定情報と比較し、その解読鍵の請求の正当性を判断するデータとするものである。
【００６８】
また、再生対象・条件データ４５は例えば解読鍵の生成が可能な楽曲及びその楽曲の再生条件例えば再生回数、再生課金等がデータベース化されていて、必要に応じて更新できる。
【００６９】
更に課金データ４６は、誰にどれだけの課金が掛けられているか等の課金情報がデータベース化されている。これによって、このデータを例えば携帯電話事業者に送信し解読鍵の購入料金を回収してもらうことができる。
【００７０】
また、解読鍵生成データ４７はどのような解読鍵が現在或は過去に生成されているか等のデータをデータベース化したもので、これにより同じ解読鍵が複数生成されることを防ぎ、楽曲等の著作権の保護を図りながらユーザーの利便性を確保している。
【００７１】
更にソフトウエア格納部４３は、例えば図５に示すように入力情報読込み機構４８、認証機構４９、データ送信機構５０、解読鍵生成機構５１及び課金情報生成機構５２等を有する。
【００７２】
ここで、入力情報読込み機構４８は、ＣＰＵ３９の制御下例えばインターフェース部３７を介して送信された解読鍵生成情報等を読込み、その情報を認証機構４９や解読鍵生成機構５１等に受け渡すことができる。また、ＣＰＵ３９の制御下入出力部３６からの入力情報を読込むこともできる。
【００７３】
また、認証機構４９はＣＰＵ３９の制御下例えば入力情報読込み機構４８から受け渡された解読鍵生成情報に含まれる楽曲等を特定する暗号化された特定情報を復号化する。更にその復号化された特定情報に対応する暗号化された特定情報をデータ格納部４２に格納された認証データ４４から、読出し復号化しその両者を比較し一致するか判断して、一致しない場合はそれ以上解読鍵生成手続きを進めないようにして違法な解読鍵の取得を防ぎ、楽曲等の著作権を保護する。
【００７４】
更にデータ送信機構５０は、ＣＰＵ３９の制御下例えば認証機構４９から特定情報、解読鍵生成機構５１から解読鍵情報及び課金情報生成機構５２から課金情報を受取ったときは、例えば携帯電話８０を介し再生装置２の制御部１２に送信する。また、課金情報は例えば携帯電話事業者にも送信する。
【００７５】
解読鍵生成機構５１はＣＰＵ３９の制御下、認証機構４９から認証データ４４に格納された特定情報と再生装置２から送られた特定情報とが一致するとの情報を受取ったときは、データ格納部４２の再生対象・条件データ４５にその入力された楽曲の例えばＵＲＬ（Ｕｎｉｆｏｒｍ  Ｒｅｓｏｕｒｃｅ  Ｌｏｃａｔｏｒ）、再生条件等と一致するデータがあるか判断する。これによって、解読鍵情報の生成可能かどうか判断でき、生成可能であれば例えば公開鍵や秘密鍵等を用いて復号化のための解読鍵情報を生成することができる。
【００７６】
また、課金情報生成機構５２はＣＰＵ３９の制御下例えば解読鍵生成機構５１から解読鍵情報が生成されたとの情報を受取ったときは、その再生楽曲及び再生条件等に基づき課金データ４６から課金計算のためのデータを読出し、課金情報を生成する。
【００７７】
次に、携帯電話８０は図１に示すように再生装置２とサーバー５とをネットワーク７を介してつなぐものである。
【００７８】
また、携帯電話８０は例えば図４及び図５に示すように携帯電話本体８１、アンテナ８２、スピーカー８３、表示部８４、操作ボタン８５、マイク８６、インターフェース部８７、入出力部８８及び制御部８９等を備えている。
【００７９】
ここで、アンテナ８２は電波を送受信するものであり、例えばネットワークを介してサーバーと接続するものである。また、スピーカー８３は制御部８９の制御下、例えばアンテナ８２からの受信電波を制御部８９により復調して音声信号として再生するものである。
【００８０】
更に表示部８４は、制御部８９の制御下例えば再生装置２とサーバー５との接続状況を文字情報などで表示するもので、カラー液晶表示装置等が用いられている。
【００８１】
また、操作ボタン８５は電話番号や文字情報等を入力するものであり、マイク８６は音声信号を電気信号に変換し制御部８９へ送ることができる。インターフェース部８７は、再生装置２と携帯電話８０とをつなぎ更に携帯電話８０とサーバー５とをネットワーク７を介してつなぐものである。
【００８２】
具体的には、インターフェース部８７は例えば再生装置２の制御部１２からの解読鍵生成情報を受取ってその情報を制御部８９へ受け渡すものである。また、インターフェース部８７は例えば制御部８９でアナログ変換された解読鍵生成情報をサーバー５へアンテナ８２から送信させるものである。
【００８３】
更に入出力部８８は、スピーカー８３、表示部８４、操作ボタン８５及びマイク８６等により構成されている。
【００８４】
また、制御部８９は例えばインターフェース部８７や入出力部８８等を制御し、携帯電話８０が円滑に機能するようにするものである。具体的にＣＰＵ、ＲＡＭ、ＲＯＭ、データ格納部及びソフトウエア格納部等を有する。
【００８５】
次に、以上のように構成された電子機器である電子機器システム１の動作を再生装置２による再生を中心に説明する。
【００８６】
まず、再生装置２による解読鍵情報等を記録媒体３に記録する動作について図６に示すフローチャートに基づき説明する。
【００８７】
前提として例えば複数の楽曲等が暗号化され記録された光ディスク４が作成配布されるものとする。
【００８８】
例えば、ＬａｂｅｌＧａｔｅやＤｕ−ｕｂに参加しているレーベルからＡＴＲＡＣ３の楽曲を集め、音楽配信サービスや音楽ＣＤのコンテンツをパソコンに取り込んで管理するための著作権保護技術を用いて、暗号化する。その暗号化された楽曲情報を光ディスク４に収録し、雑誌形態でただ同然で書店等に流通させる。
【００８９】
そして、例えばその雑誌を購入したユーザーが光ディスク４を手持ちの再生装置２に挿入し再生しようとしたとして、以下電子機器システム１の動作について説明する。
【００９０】
まず、再生装置２に光ディスク４を挿入し再生装置２の電源を投入すると、ＣＰＵ２４は例えば光学ピックアップ部８を所定の位置に駆動部９により移動させると共に、光ディスク４を回転させてその光ディスク４の内容等の情報を電気信号化させる。
【００９１】
また、図６に示すようにＣＰＵ２４は第２インターフェース２２を介し入力された例えば楽曲情報を入力情報読込み機構３１に受け渡たし、収録された例えば楽曲情報が何曲あってどんな曲名であるか、更には暗号化されているか等を読込ませ判断させる（ＳＴ１０１）。更にＣＰＵ２４は、入力情報読込み機構３１に読込まれた情報を画像表示機構３２に送らせ、表示部１４の表示面１８に文字等で表示させる。これによって、ユーザーは光ディスク４の内容例えばどのような楽曲が収録されているか、試聴が可能か等を知ることができる。
【００９２】
ここで、すべて暗号化されていないと判断された場合は、記録媒体３に解読鍵情報を記録する必要がないので、解読鍵情報を記録する動作は終了する。
【００９３】
一方、一部でも暗号化されており試聴が可能である場合は試聴するかの判断がなされるが、例えば所定時間内に操作ボタン１６等の入出力部１０から試聴するとの入力がされたかにより、入力情報読込み機構３１が判断するものとすることもできる（ＳＴ１０２）。
【００９４】
試聴するものと判断され、試聴する楽曲の選択情報が操作ボタン１６等の入出力部１０から入力されると（ＳＴ１０３）、ＣＰＵ２４は例えば楽曲の再生開始から３０秒程度の暗号化されていないデータを再生するように、再生機構３３に第２インターフェース２２を介して駆動部９及び光学ピックアップ部８に情報を送らせる。
【００９５】
これによって、再生機構３３はＣＰＵ２４の制御下例えば光学ピックアップ部８を駆動部９により所定の位置に移動させ光ディスク４を回転させて、その楽曲情報を制御部１２に送らせる。再生機構３３はその再生された楽曲の情報を入出力部１０の音響出力装置１５に受渡し、例えば出力端子１９に接続したヘッドホンで試聴することが可能となる（ＳＴ１０４）。
【００９６】
尚、ＳＴ１０２で試聴しないと判断されたときはＳＴ１０５に進むものとする。
【００９７】
次に、ＣＰＵ２４は入力情報読込み機構３１に暗号化された楽曲の解読鍵情報等の取得かどうか判断させる（ＳＴ１０５）。例えば所定の時間内に入出力部１０から解読鍵情報等を取得する旨の入力がないときは、暗号化された楽曲の解読鍵情報等を取得するものでないとすることもできる。
【００９８】
ＳＴ１０５で暗号化された楽曲の解読鍵情報等を取得すると判断されたときは、ＣＰＵ２４は解読鍵情報等を取得する楽曲及び再生回数や楽曲の歌詞の文字情報も追加する等の再生条件を決定するように、画像表示機構３２に表示面１８に文字情報等を表示させる。そのとき、表示面１８に選択できる楽曲名や再生条件の例等を表示させても良い。
【００９９】
ユーザーが操作ボタン１６等により楽曲及び再生条件を入力し決定（ＳＴ１０６）したときは、ＣＰＵ２４はその情報を入力情報読込み機構３１に読込ませ、解読鍵取得・削除機構３４に受け渡させる。
【０１００】
また、ＣＰＵ２４は例えば解読鍵取得・削除機構３４に記録媒体３がメモリスロット２１に装着されているか、更に携帯電話８０のインターフェース部８７と再生装置２の第３インターフェース２３とがケーブルで接続されているか、或はＢｌｕｅｔｏｏｔｈ等で接続されているか判断させる（ＳＴ１０７）。
【０１０１】
接続されていないと判断されたときは、ＣＰＵ２４は解読鍵取得・削除機構３４によって画像表示機構３２にエラー表示させ、ＳＴ１０７の前に戻らせる。
【０１０２】
接続されていると判断されたときは、ＣＰＵ２４は解読鍵取得・削除機構３４に入力情報読込み機構３１からの解読鍵情報等を入手するとの情報と復号化しようとする楽曲のＵＲＬ、その楽曲の再生条件、その楽曲等を特定する暗号化された特定情報及び個人情報等とを解読鍵生成情報としてデータ送信機構３５に受け渡させる。
【０１０３】
更にＣＰＵ２４は、データ送信機構３５に解読鍵取得・削除機構３４から受取った解読鍵生成情報を、例えば第３インターフェース２３から例えば携帯電話８０を介してサーバー５に送信する（ＳＴ１０８）。
【０１０４】
具体的には、例えば再生装置２の第３インターフェース２３から解読鍵生成情報がケーブルで携帯電話８０のインターフェース部８７へ送信され、インターフェース部８７は受取った解読鍵生成情報を制御部８９に受け渡す。すると、制御部８９はアナログ変換した解読鍵生成情報をサーバー５へインターフェース部８７及びアンテナ８２から送信する。
【０１０５】
次に、例えばサーバー側ＣＰＵ３９は携帯電話８０からサーバー側のインターフェース部３７に受信された（ＳＴ１０９）解読鍵生成情報を入力情報読込み機構４８に読込ませ、解読鍵情報等を入手するとの情報が含まれていると判断したときは、その解読鍵生成情報を認証機構４９に受け渡させる。
【０１０６】
また、サーバー側ＣＰＵ３９は例えば認証機構４９に入力情報読込み機構４８から受け渡された解読鍵生成情報に含まれる暗号化された特定情報を復号化させる。更にサーバー側ＣＰＵ３９は認証機構４９にその復号化された特定情報に対応する暗号化された特定情報を、データ格納部４２に格納された認証データ４４から読出して復号化させ、その両者を比較して一致するか判断させる（ＳＴ１１０）。
【０１０７】
サーバー側ＣＰＵ３９は一致しないと認証機構４９が判断した場合は、認証機構４９にデータ送信機構５０からエラーメッセージを携帯電話８０を介して、再生装置２側の制御部１２に送信する（ＳＴ１１１）。尚、携帯電話８０での動作は解読鍵生成情報を送信する場合と同様であるのでその説明を省略する。
【０１０８】
次に、再生装置側のＣＰＵ２４は第３インターフェース２３を介し送信されたエラーメッセージを入力情報読込み機構３１に読込ませ、画像表示機構３２にその内容を表示部１４の表示面１８に表示させる（ＳＴ１１２）。その表示がされたときは、ＳＴ１０６の前のステップに戻り楽曲や再生条件等を決定し直すこととなる。
【０１０９】
また、サーバー側ＣＰＵ３９は認証機構４９から認証データ４４に格納された特定情報と再生装置２から送られた特定情報とが一致するとの情報を受取ったときは、解読鍵生成機構５１にデータ格納部４２の再生対象・条件データ４５にその入力された楽曲の例えばＵＲＬ、再生条件等と適合するデータがあるか判断させる（ＳＴ１１３）。
【０１１０】
サーバー側ＣＰＵ３９は、適合するデータがないと解読鍵生成機構５１が判断した場合は、データ送信機構５０からエラーメッセージを携帯電話８０を介して再生装置２側の制御部１２に送信させる（ＳＴ１１４）。尚、携帯電話８０での動作は解読鍵生成情報を送信する場合と同様であるのでその説明を省略する。
【０１１１】
次に、再生装置側のＣＰＵ２４は第３インターフェース２３を介し送信されたエラーメッセージを入力情報読込み機構３１に読込ませ、画像表示機構３２にその内容を表示部１４の表示面１８に表示させる（ＳＴ１１５）。その表示がされたときは、ＳＴ１０６の前のステップに戻り楽曲や再生条件等を決定し直すこととなる。
【０１１２】
また、サーバー側ＣＰＵ３９は適合するデータがあると解読鍵生成機構５１が判断した場合は、更に解読鍵生成機構５１に例えば公開鍵や秘密鍵等を用いて暗号化された楽曲や再生条件の情報を復号化するための解読鍵情報を生成させ、課金情報生成機構５２に解読鍵情報を生成したとの情報を受け渡させる。
【０１１３】
解読鍵生成機構５１から解読鍵情報が生成されたとの情報を受取った課金情報生成機構５２はＣＰＵ３９の制御下、例えばその再生楽曲及び再生条件等に基づき課金データ４６から課金計算のためのデータを読出し、課金情報を生成する（ＳＴ１１６）。
【０１１４】
更にサーバー側ＣＰＵ３９は、例えば認証機構４９から特定情報、解読鍵生成機構５１から解読鍵情報及び課金情報生成機構５２から課金情報を受取ったときは、データ送信機構５０に例えば携帯電話８０を介し再生装置２の制御部１２に送信する（ＳＴ１１７）。また、課金情報は例えば携帯電話事業者にも送信する。
【０１１５】
次に、再生装置側のＣＰＵ２４は第３インターフェース２３を介し受信された（ＳＴ１１８）特定情報、解読鍵情報及び課金情報を入力情報読込み機構３１に読込ませ、特定情報及び解読鍵情報を解読鍵取得・削除機構３４に受け渡させ、課金情報をデータ格納部２７の課金データ３０に格納させる。
【０１１６】
更に再生装置側のＣＰＵ２４は特定情報及び解読鍵情報を受取った解読鍵取得・削除機構３４に記録媒体３にその特定情報及び解読鍵情報を記録させる（ＳＴ１１９）。
【０１１７】
以上の動作により再生装置２による解読鍵情報等を記録媒体３に記録する動作が終了する。
【０１１８】
次に、解読鍵情報等が記録された記録媒体３による再生装置２の再生の動作を図７に示すフローチャートに基づき説明する。
【０１１９】
再生する際の前提状況及びＳＴ２０１までは解読鍵情報等を記録媒体３に記録する動作の１０１までと同様であるのでその説明を省略する。尚、ＳＴ２０１はＳＴ１０１に対応し同じ動作となる。
【０１２０】
更にＣＰＵ２４は、入力情報読込み機構３１に読込まれた情報を画像表示機構３２に送らせ、表示部１４の表示面１８に文字等で表示させる。これによって、ユーザーは光ディスク４の内容例えばどのような楽曲が収録されているか、暗号化されているか等を知ることができる。
【０１２１】
また、ＳＴ２０１で暗号化されていると判断されたときは図７に示すようにＣＰＵ２４は、例えば入力情報読込み機構３１に楽曲を再生するかどうか判断させる（ＳＴ２０２）。具体的には、所定の時間内に操作ボタン１６等の操作により入力情報読込み機構３１に楽曲を再生するとの入力情報が受け渡されなかったときは、入力情報読込み機構３１に楽曲を再生しないものと判断させることができる。
【０１２２】
ここで、入力情報読込み機構３１に楽曲を再生しないものと判断させた場合は、ＳＴ２０１においてすべて暗号化されていないと判断された場合同様、電子機器システム１で解読鍵情報等を取得し、それが記録された記録媒体３により復号化させ再生する必要がないので、電子機器システム１での解読鍵情報等に関する動作は終了する。勿論、この場合も、電子機器システム１ですべて暗号化されていない例えば楽曲等が収録された光ディスク４も、光学ピックアップ部８、駆動部９、入出力部１０及び制御部１２等により普通に楽曲等を再生できることは言うまでもない。
【０１２３】
更にＣＰＵ２４は、ＳＴ２０２で入力情報読込み機構３１に再生するとの判断させた場合は、再生機構３３に再生する例えば楽曲の曲名、歌手名等の情報及び再生の回数や再生に歌詞を付けるとかの再生条件の情報等を操作ボタン１６等で入力できるように画像表示機構３２によって表示部１４の表示面１８に入力画面等を表示させる。
【０１２４】
これにより、表示面１８の入力画面等に例えば楽曲の曲名、歌手名等の情報及び再生の回数や再生に歌詞を付けるとかの再生条件の情報等を操作ボタン１６等で入力されたときは（ＳＴ２０３）、ＣＰＵ２４はその入力情報を入力情報読込み機構３１に読込ませ、再生機構３３にその情報を受け渡させる。
【０１２５】
また、ＣＰＵ２４は楽曲及び再生条件の情報を再生機構３３が受取ったときは再生機構３３に、メモリスロット２１に記録媒体３が装着されているか判断させ（ＳＴ２０４）、記録媒体３が装着されていないと判断したときはエラーメッセージを画像表示機構３２によって表示面１８に表示させ、ＳＴ２０４の前に戻る。
【０１２６】
更に再生機構３３が、記録媒体３が装着されていると判断した場合はＣＰＵ２４は再生機構３３に解読鍵情報等を記録媒体３から読込ませる（ＳＴ２０５）。
【０１２７】
次に、ＣＰＵ２４は例えば再生機構３３に光ディスク４から光学ピックアップ部８等により受け渡された暗号化された特定情報と記録媒体３から読込まれた暗号化された特定情報とを夫々復号化し、双方を比較し一致するか判断させる（ＳＴ２０６）。
【０１２８】
ここで、再生機構３３が双方を比較し一致しないと判断したときはＣＰＵ２４は、例えば画像表示機構３２にその情報を表示部１４の表示面１８に表示させ、ＳＴ２０３の前のステップに戻り楽曲や再生条件等を入力し直すこととなる。
【０１２９】
これにより、記録媒体３に記録された特定の楽曲に関する解読鍵情報が、再生しようとする光ディスク４に記録された楽曲の適法な解読鍵情報であることが確認できることとなる。
【０１３０】
また、再生機構３３が双方を比較し一致すると判断したときはＣＰＵ２４は、再生機構３３に暗号化された解読鍵情報を復号化させ、復号化された解読鍵情報で再生しようとする楽曲がその再生条件で復号化できるか判断させる（ＳＴ２０７）。例えば、操作ボタン１６による入力情報である歌詞を文字情報で表示させるという再生条件が、解読鍵情報の再生条件と一致しないような場合は、再生機構３３は復号化できないと判断する。
【０１３１】
再生機構３３が復号化できないと判断したときはＣＰＵ２４は、例えば画像表示機構３２にその情報を表示部１４の表示面１８に表示させ、ＳＴ２０３の前のステップに戻り楽曲や再生条件等を入力し直すこととなる。
【０１３２】
次に、ＣＰＵ２４は再生機構３３が復号化できると判断したときは第２インターフェースを介して光学ピックアップ部８から送られてくる情報を、再生条件に従い再生しながら復号化する（ＳＴ２０８）。更に再生機構３３はその復号化された楽曲情報を入出力部１０の音響出力装置１５に受け渡す。これにより、例えば出力端子１９に接続したヘッドホンで、希望の楽曲を希望する再生条件で聴くことが可能となる。
【０１３３】
また、ＣＰＵ２４は再生条件に従い例えば楽曲の再生が終了したとき（ＳＴ２０９）は再生機構３３に、解読鍵取得・削除機構３４へ楽曲の再生が終了したとの情報を受け渡させる。
【０１３４】
更にＣＰＵ２４は、解読鍵取得・削除機構３４が再生機構３３から再生が終了したとの情報を受取ったときは、解読鍵取得・削除機構３４に暗号化して例えばどの楽曲をどういう再生条件で何時何回再生したか等の情報である新再生情報（以下単に「新再生情報」という。）を記録媒体３に書き込ませる（ＳＴ２１０）。
【０１３５】
ここで、ＣＰＵ２４は解読鍵取得・削除機構３４に新再生情報が記録媒体３に書き込まれたか判断させる（ＳＴ２１１）。
【０１３６】
ＣＰＵ２４は、解読鍵取得・削除機構３４が新再生情報の書き込みがなされたと判断したときは、例えば一時的にＲＡＭ２５等に格納された解読鍵情報等のデータを削除させる（ＳＴ２１２）。
【０１３７】
また、解読鍵取得・削除機構３４が新再生情報の書き込みがなされなかったと判断したときは、ＣＰＵ２４は例えば画像表示機構３２にその情報を表示部１４の表示面１８に表示させ、ＳＴ２１０の前のステップに戻り新再生情報を書込みし直すこととなる。
【０１３８】
更にＣＰＵ２４は、解読鍵取得・削除機構３４にＲＡＭ２５等に格納された解読鍵情報等のデータが削除されたか判断させる（ＳＴ２１３）。
【０１３９】
解読鍵取得・削除機構３４がＲＡＭ２５等に格納された解読鍵情報等のデータが削除されたと判断したときはＣＰＵ２４は、解読鍵取得・削除機構３４にメモリスロット２１にその情報を受け渡させる。すると、例えばメモリスロット２１は記録媒体３の排出をロックするロック機構が外れ、再生装置２から記録媒体３を引き出すことができるようになる（ＳＴ２１４）。
【０１４０】
また、解読鍵取得・削除機構３４がＲＡＭ２５等に格納された解読鍵情報等のデータが削除されていないと判断したときは、ＣＰＵ２４は例えば画像表示機構３２にその情報を表示部１４の表示面１８に表示させ、ＳＴ２１２の前のステップに戻りＲＡＭ２５等に格納された解読鍵情報等のデータを削除し直すこととなる。
【０１４１】
これによって、記録媒体３と独立して何れかの再生装置２に同じ解読鍵情報等が存在することを防ぐことができ、違法な楽曲の復号化を防ぎ著作権の保護を図ることができる。
【０１４２】
以上で解読鍵情報等が記録された記録媒体３による再生装置２の再生の動作が終了する。
【０１４３】
このように本実施形態によれば、電子機器システム１は暗号化されたデータ例えば楽曲等を復号化する鍵情報例えば解読鍵情報等を記録する記録媒体３と、その暗号化されたデータを入手し鍵情報に基づき暗号化されたデータの再生を制御する手段を有する電子機器例えば再生装置２とを別々なものとしたので、記録媒体３を装着できる再生装置２であれば、その再生装置２の種類を選ばず再生できる。更に例えば楽曲等の入手手段と記録媒体３とを別々のものとしたので、その入手手段によらず例えば異なる光ディスク４による情報入手であっても、再生が可能であり著作権の保護を図りながらより自由で容易な楽曲等の情報の利用を可能とできる。
【０１４４】
また、電子機器システム１は例えば楽曲等の入手手段として、例えば光ディスク４と再生装置２とを接続するための第２のインターフェース手段と、その第２のインターフェース手段により光ディスク４に記録される楽曲等を入手する手段とを有することとしたので、例えば光ディスク４に多数の楽曲を収録し格安にユーザーに配布できる。しかも、収録された楽曲を例えば一部暗号化して試聴のみできるものとすれば、ユーザーは試聴して自分の欲しい楽曲のみの解読鍵情報等を入手して再生できるので、ユーザーの利便性を増加させると共に著作権の保護をより図れることとなる。
【０１４５】
更に記録媒体３は、例えば楽曲等を特定する特定情報を有することとしたので、例えば一々詳細情報をユーザーが入力する手間を省けると共に、その楽曲自身にのみ有効な識別情報とできるので、不正なコピー等を防ぎその楽曲等の著作権の保護をより図れることとなる。
【０１４６】
また、例えば楽曲の再生が終了したときは再生装置２自体からその解読鍵等の情報を削除することとしたので、所定の楽曲等を復号化するために例えば再生装置２自体に解読鍵等の情報を取り込んだとしても、解読鍵等の情報が違法に複製されることを防げる。
【０１４７】
次に、本発明の第２の実施形態に係る電子機器システムについて説明する。本実施形態についても第１の実施形態と同様に電子機器システムの電子機器の例としての再生装置を中心に説明する。尚、第２の実施形態は携帯電話８０で記録媒体３に解読鍵情報等を記録させる点を除くと第１の実施形態とほぼ同様であるので、その異なる点を中心に説明しその他は説明を省略する。また、以下の説明で第１の実施形態で示した構成要素と同一の構成要素については同一の符号を付すものとし、その説明を省略する。
【０１４８】
図８は本発明の第２の実施形態に係る電子機器システムの概略説明図、図９は第２の実施形態に係る携帯電話の外観概略図、図１０は第２の実施形態に係る電子機器システムの概略ブロック図、図１１は携帯電話の制御部の概略ブロック図及び図１２は第２の実施形態に係る記録媒体に解読鍵を記録する場合のフローチャートである。
【０１４９】
図８に示すように電子機器システム１は、例えば再生装置２、記録媒体３、光ディスク４、サーバー５、ネットワーク７及び携帯電話８０等により構成されており、第１の実施形態と同様である。ただし、第１の実施形態と異なり記録媒体３は携帯電話８０にも装着可能とされ、サーバー５は携帯電話８０に解読鍵情報等を送信するものとされている。
【０１５０】
まず、再生装置２の構成を第１の実施形態と異なる点を中心に説明する。
【０１５１】
再生装置２は、図１０に示すように例えば光学ピックアップ部８、駆動部９、入出力部１０、インターフェース部１１及び制御部１２等を備える。
【０１５２】
ここで、インターフェース部１１は図１０に示すように第１インターフェース２０及び第２インターフェース２２を有する。尚、第２の実施形態では携帯電話８０と再生装置２とを特につながなくてもいいので、第３インターフェースは有しないものとなっているが、第３インターフェースを設けても勿論良い。
【０１５３】
次に、制御部１２は例えば図１０に示すようにＣＰＵ２４、ＲＡＭ２５、ＲＯＭ２６、データ格納部２７及びソフトウエア格納部２８等が備えられている。
【０１５４】
また、ソフトウエア格納部２８は図１０に示すように入力情報読込み機構３１、画像表示機構３２、再生機構３３及び解読鍵準備・削除機構２３４等を有する。
【０１５５】
ここで、解読鍵準備・削除機構２３４はＣＰＵ２４の制御下、入力情報読込み機構３１から例えば暗号化された楽曲の復号化をする解読鍵情報を入手するとの情報と復号化しようとする楽曲のＵＲＬ、その楽曲の再生条件、その楽曲の暗号化された特定情報等とを受取ったときは、その受取った情報を解読鍵生成準備情報として記録媒体３に記録することができる。
【０１５６】
更に解読鍵準備・削除機構２３４はＣＰＵ２４の制御下、再生機構３３から再生が終了したとの情報を受取ったときは、暗号化して例えばどの楽曲をどういう再生条件で何時何回再生したか等の新再生情報を記録媒体３に書き込むことができる。
【０１５７】
また、解読鍵準備・削除機構２３４はＣＰＵ２４の制御下、新再生情報の書き込みがなされたと判断したときは、一時的にＲＡＭ２５等に格納された解読鍵情報等のデータを削除する。これによって、記録媒体３と独立して何れかの再生装置２に同じ解読鍵が存在することを防ぐことができ、違法な楽曲の復号化を防ぎ著作権の保護を図ることができる。
【０１５８】
更に解読鍵取得・削除機構３４が第２の実施形態では解読鍵準備・削除機構２３４となったことから、入力情報読込み機構３１は、ＣＰＵ２４の制御下例えば操作部１３の操作ボタン１６やダイヤル１７からの入力情報を読込み、再生対象の楽曲及び再生条件を特定しその情報を再生機構３３、解読鍵準備・削除機構２３４等に受け渡すこともできる等となる。
【０１５９】
また、第１の実施形態ではデータ送信機構３５を備えていたが、第２の実施形態では解読鍵生成情報は携帯電話８０で生成され、解読鍵生成準備情報も記録媒体３により送付することとしたので、第２の実施形態ではデータ送信機構３５は有しないものとしたが、データ送信機構３５を設けても勿論かまわない。
【０１６０】
次に、サーバー５の構成を第１の実施形態と異なる点を中心に説明する。
【０１６１】
サーバー５は解読鍵情報等を生成し、携帯電話８０に送信すること等を主たる目的とするものである。
【０１６２】
例えば図１０に示すようにキーボード、ディスプレー及びスピーカー等の入出力部３６、携帯電話８０等とネットワーク７を介して情報のやり取りをするインターフェース部３７及び情報の入出力や解読鍵生成等を制御する制御部３８等を有する点は第１の実施形態と同様である。
【０１６３】
また、制御部３８は例えば図１０に示すようにＣＰＵ３９、ＲＡＭ４０、ＲＯＭ４１、データ格納部４２及びソフトウエア格納部４３等を備えている。
【０１６４】
更にソフトウエア格納部４３は、例えば図１０に示すように入力情報読込み機構４８、認証機構４９、データ送信機構５０、解読鍵生成機構５１及び課金情報生成機構５２等を有している。
【０１６５】
ただし、データ送信機構５０はＣＰＵ３９の制御下例えば認証機構４９から特定情報、解読鍵生成機構５１から解読鍵情報及び課金情報生成機構５２から課金情報を受取ったときは、例えば携帯電話８０の制御部１２に送信する点が第１の実施形態と異なる。
【０１６６】
また、携帯電話８０の構成を第１の実施形態と異なる点を中心に説明する。
【０１６７】
ここで、携帯電話８０は図８に示すようにサーバー５から解読鍵情報等を受取り、記録媒体３に解読鍵情報等を記録することを主な目的とする。
【０１６８】
また、携帯電話８０は例えば図９及び図１０に示すように携帯電話本体８１、アンテナ８２、スピーカー８３、表示部８４、操作ボタン８５、マイク８６、インターフェース部８７、メモリスロット２２１、入出力部８８及び制御部８９等を備えている。
【０１６９】
アンテナ８２は電波を送受信するものであり、例えばネットワークを介してサーバー５と接続するものである。また、スピーカー８３は制御部８９の制御下、例えばアンテナ８２からの受信電波を制御部８９により復調して音声信号として再生するものである。
【０１７０】
更に表示部８４は、制御部８９の制御下例えば楽曲や再生条件等の文字情報等を表示するもので、カラー液晶表示装置等が用いられている。
【０１７１】
また、操作ボタン８５は例えば電源の投入や楽曲、再生条件等を入力するものであり、マイク８６は音声信号を電気信号に変換し制御部８９へ送ることができる。インターフェース部８７は、携帯電話８０とサーバー５とをネットワーク７を介してつなぎ、更にメモリスロット２２１に装着された記録媒体３と制御部８９とを接続するものである。
【０１７２】
具体的には、インターフェース部８７は例えば制御部８９で生成された解読鍵生成情報をサーバー５へアンテナ８２から送信させるものである。また、インターフェース部８７は例えば制御部８９から解読鍵情報等を受取ってメモリスロット２２１に装着された記録媒体３に受け渡すものである。
【０１７３】
更に入出力部８８は、スピーカー８３、表示部８４、操作ボタン８５及びマイク８６等により構成されている。
【０１７４】
また、制御部８９は例えば図１１に示すように演算と制御とをするＣＰＵ（Ｃｅｎｔｒａｌ  Ｐｒｏｃｅｓｓｉｎｇ  Ｕｎｉｔ）２８４、必要に応じて一時的に音響情報、解読鍵、各種データ及びソフト等を記録し、電子機器である携帯電話８０の制御をより円滑に行うＲＡＭ（Ｒａｎｄｏｍ  Ａｃｃｅｓｓ  Ｍｅｍｏｒｙ）２８５、ＲＯＭ（Ｒｅａｄ  Ｏｎｌｙ  Ｍｅｍｏｒｙ）２８６及び各種のソフトウエアが格納されたソフトウエア格納部２８７等が備えられている。
【０１７５】
ここで、ソフトウエア格納部２８７は、例えば図１１に示すように入力情報読込み機構２８８、画像表示機構２８９、解読鍵取得・削除機構２９０及びデータ送信機構２９１等を有する。
【０１７６】
入力情報読込み機構２８８は、ＣＰＵ２８４の制御下例えばメモリスロット２２１に装着された記録媒体３に記録された解読鍵生成準備情報を読込み、その解読鍵生成準備情報を解読鍵取得・削除機構２９０に受け渡すことができる。
【０１７７】
また、入力情報読込み機構２８８はＣＰＵ２８４の制御下例えば操作ボタン８５からの入力情報を読込み、個人情報等を解読鍵取得・削除機構２９０等に受け渡すこともできる。
【０１７８】
更に入力情報読込み機構２８８は、ＣＰＵ２８４の制御下例えばインターフェース部８７を介してサーバー５から送られた解読鍵情報等を読込み、その解読鍵情報等を解読鍵取得・削除機構２９０に受け渡すことができる。
【０１７９】
また、画像表示機構２８９はＣＰＵ２８４の制御下例えば入力情報読込み機構３１により読込まれた楽曲情報や再生条件等の文字情報、ゲーム等の映像情報等を表示部１４の表示面１８に画像情報として表示させることができる。
【０１８０】
次に、解読鍵取得・削除機構２９０はＣＰＵ２８４の制御下、入力情報読込み機構２８８から解読鍵生成準備情報及び操作ボタン８５等による入力情報である例えば楽曲名や再生条件、個人情報及び特定情報等を受取ったときは、その受取った情報を解読鍵生成情報としてデータ送信機構２９１に受け渡す。
【０１８１】
更に解読鍵取得・削除機構２９０はＣＰＵ２８４の制御下、入力情報読込み機構２８８に読込まれた解読鍵情報等を記録媒体３に書き込むことができる。
【０１８２】
また、解読鍵取得・削除機構２９０は、ＣＰＵ２８４の制御下、記録媒体３に解読鍵情報等の書き込みがなされたと判断したときは、一時的にＲＡＭ２８５等に格納された解読鍵情報等のデータを削除する。これによって、記録媒体３と独立して何れかの電子機器に同じ解読鍵が存在することを防ぐことができ、違法な楽曲の復号化を防ぎ著作権の保護を図ることができる。
【０１８３】
また、データ送信機構２９１はＣＰＵ２８４の制御下例えば解読鍵取得・削除機構２９０から解読鍵生成情報を受取ったときは、サーバー５に送信する。すると所定の手続きを経て解読鍵の生成条件に適合すれば、サーバー５から解読鍵が携帯電話８０の制御部８９に送付される。
【０１８４】
次に、以上のように構成された電子機器である電子機器システム１の動作を再生装置２による再生を中心に説明する。尚、第２の実施形態の電子機器システム１の動作も第１の実施形態の電子機器システム１の動作とほぼ同様であり、相違点は第２の実施形態では例えば携帯電話８０により解読鍵生成情報が生成され、サーバー５から送られた解読鍵情報等を携帯電話８０により記録媒体３に記録されることにあるので、その点を中心に説明し第１の実施形態と同様の所はその説明を省略する。
【０１８５】
まず、携帯電話８０による解読鍵生成情報の生成とサーバー５から送られた解読鍵情報等を記録媒体３に記録する動作について図１２に基づいて説明する。尚、図１２中のステップ番号は図６のステップ番号に夫々対応している。
【０１８６】
ここで、第１の実施形態の「前提として例えば複数の楽曲等が暗号化された光ディスク４が作成配布されるものとする。」から「ＳＴ１０５で暗号化された楽曲の解読鍵情報等を取得すると判断されたときは、ＣＰＵ２４は解読鍵情報等を取得する楽曲及び再生回数や楽曲の歌詞の文字情報も追加する等の再生条件を決定するように、画像表示機構３２に表示面１８に文字情報等を表示させる。そのとき、表示面１８に選択できる楽曲名や再生条件の例等を表示させても良い。」までは、第２の実施形態においても同様なのでその説明は省略する。
【０１８７】
次に、ユーザーが操作ボタン１６等により楽曲及び再生条件を入力し決定（ＳＴ３０６）したときは、ＣＰＵ２４はその情報を入力情報読込み機構３１に読込ませ、解読鍵準備・削除機構２３４に受け渡させる。
【０１８８】
また、ＣＰＵ２４は解読鍵準備・削除機構２３４がその入力情報を受取ったときは解読鍵準備・削除機構２３４に、記録媒体３がメモリスロット２１に装着されているか判断させ、装着されていないと判断したときは画像表示機構３２にエラー表示させ、ＳＴ３０６の後に戻らせる。
【０１８９】
更に解読鍵準備・削除機構２３４が、記録媒体３がメモリスロット２１に装着されていると判断したときはＣＰＵ２４は、解読鍵準備・削除機構２３４に入力情報読込み機構３１から受取った例えば暗号化された楽曲の復号化をする解読鍵情報を入手するとの情報と復号化しようとする楽曲のＵＲＬ、その楽曲の再生条件、その楽曲の暗号化された特定情報等とを解読鍵生成準備情報として記録媒体３に記録させる。
【０１９０】
次に、その解読鍵生成準備情報が記録された記録媒体３を再生装置２のメモリスロット２１から引き出し、携帯電話８０のメモリスロット２２１に装着する。
【０１９１】
ここで、携帯電話８０のＣＰＵ２８４は例えば解読鍵取得・削除機構２９０に記録媒体３がメモリスロット２２１に装着されているか判断させる（ＳＴ３０７）。
【０１９２】
装着されていないと判断されたときは、ＣＰＵ２８４は画像表示機構２８９にエラー表示させ、ＳＴ３０７の前に戻らせる。
【０１９３】
記録媒体３がメモリスロット２２１に装着されていると判断されたときは、ＣＰＵ２８４は解読鍵取得・削除機構２９０に入力情報読込み機構２８８からの解読鍵情報等を入手するとの情報と復号化しようとする楽曲のＵＲＬ、その楽曲の再生条件、その楽曲等を特定する暗号化された特定情報及び個人情報等とを解読鍵生成情報としてデータ送信機構２９１に受け渡させる。
【０１９４】
更にＣＰＵ２８４は、データ送信機構２９１に解読鍵取得・削除機構２９０から受取った解読鍵生成情報をサーバー５に送信する（ＳＴ３０８）。
【０１９５】
また、ＳＴ３０９からＳＴ３１０までは第１の実施形態の動作のＳＴ１０９からＳＴ１１０までの動作と同様であるのでその説明を省略する。
【０１９６】
更にサーバー側ＣＰＵ３９は一致しないと認証機構４９が判断した場合は、認証機構４９にデータ送信機構５０からエラーメッセージを携帯電話側の制御部８９に送信させる（ＳＴ３１１）。
【０１９７】
次に、携帯電話側のＣＰＵ２８４はインターフェース部８７を介し送信されたエラーメッセージを入力情報読込み機構２８８に読込ませ、画像表示機構２８９にその内容を表示部８４に表示させる（ＳＴ３１２）。その表示がされたときは、ＳＴ３０６の前のステップに戻り楽曲や再生条件等を決定し直すこととなる。
【０１９８】
また、サーバー側ＣＰＵ３９は認証機構４９から認証データ４４に格納された特定情報と携帯電話８０から送られた特定情報とが一致するとの情報を受取ったときは、解読鍵生成機構５１にデータ格納部４２の再生対象・条件データ４５にその入力された楽曲の例えばＵＲＬ、再生条件等と適合するデータがあるか判断させる（ＳＴ３１３）。
【０１９９】
サーバー側ＣＰＵ３９は、適合するデータがないと解読鍵生成機構５１が判断した場合は、データ送信機構５０からエラーメッセージを携帯電話８０側の制御部８９に送信させる（ＳＴ３１４）。
【０２００】
また、携帯電話側のＣＰＵ２８４はインターフェース部８７を介し送信されたエラーメッセージを入力情報読込み機構２８８に読込ませ、画像表示機構３２にその内容を表示部８４に表示させる（ＳＴ３１５）。その表示がされたときは、ＳＴ３０６の前のステップに戻り楽曲や再生条件等を決定し直すこととなる。
【０２０１】
次のＳＴ３１６は第１の実施形態のＳＴ１１６の動作と同様であるので説明を省略する。
【０２０２】
サーバー側ＣＰＵ３９は、例えば認証機構４９から特定情報、解読鍵生成機構５１から解読鍵情報及び課金情報生成機構５２から課金情報を受取ったときは、データ送信機構５０に特定情報、解読鍵情報及び課金情報を携帯電話８０の制御部８９に送信する（ＳＴ３１７）。また、課金情報は例えば携帯電話事業者にも送信する。
【０２０３】
次に、携帯電話側のＣＰＵ２８４はインターフェース部８７を介し受信された（ＳＴ３１８）特定情報、解読鍵情報及び課金情報を入力情報読込み機構２８８に読込ませ、特定情報及び解読鍵情報を解読鍵取得・削除機構２９０に受け渡させる。
【０２０４】
更に携帯電話側のＣＰＵ２８４は特定情報及び解読鍵情報を受取った解読鍵取得・削除機構２９０に記録媒体３にその特定情報及び解読鍵情報を記録させる（ＳＴ３１９）。
【０２０５】
以上の動作により携帯電話８０による解読鍵生成情報の生成とサーバー５から送られた解読鍵情報等を記録媒体３に記録する動作が終了する。
【０２０６】
次に、解読鍵情報等が記録された記録媒体３による再生装置２の再生の動作を図７に示すフローチャートに基づき説明する。
【０２０７】
ここで、第１の実施形態の動作の「再生する際の前提状況及びＳＴ２０１までは解読鍵情報等を記録媒体３に記録する動作の１０１までと同様であるのでその説明を省略する。尚、ＳＴ２０１はＳＴ１０１に対応し同じ動作となる。」から、「次に、ＣＰＵ２４は再生機構３３が復号化できると判断したときは第２インターフェースを介して光学ピックアップ部８から送られてくる情報を、再生条件に従い再生しながら復号化する（ＳＴ２０８）。更に再生機構３３はその復号化された楽曲情報を入出力部１０の音響出力装置１５に受け渡す。これにより、例えば出力端子１９に接続したヘッドホンで、希望の楽曲を希望する再生条件で聴くことが可能となる。」までは、第２の実施形態においても同様であるのでその説明を省略する。
【０２０８】
また、第１の実施形態の動作の「また、ＣＰＵ２４は再生条件に従い例えば楽曲の再生が終了したとき（ＳＴ２０９）は再生機構３３に、解読鍵取得・削除機構３４へ楽曲の再生が終了したとの情報を受け渡させる。」から「また、解読鍵取得・削除機構３４がＲＡＭ２５等に格納された解読鍵情報等のデータが削除されていないと判断したときは、ＣＰＵ２４は例えば画像表示機構３２にその情報を表示部１４の表示面１８に表示させ、ＳＴ２１２の前のステップに戻りＲＡＭ２５等に格納された解読鍵情報等のデータを削除し直すこととなる。」までは、「解読鍵取得・削除機構３４」が「解読鍵準備・削除機構２３４」となるだけで他は第２の実施形態においても同様であるのでその説明を省略する。
【０２０９】
これによって、記録媒体３と独立して何れかの再生装置２に同じ解読鍵情報等が存在することを防ぐことができ、違法な楽曲の復号化を防ぎ著作権の保護を図ることができる。
【０２１０】
以上で解読鍵情報等が記録された記録媒体３による再生装置２の再生の動作が終了する。
【０２１１】
このように本実施形態によれば、電子機器システム１は暗号化されたデータ例えば楽曲等を復号化する鍵情報例えば解読鍵情報等を記録する記録媒体３と、その暗号化されたデータを入手し鍵情報に基づき暗号化されたデータの再生を制御する手段を有する電子機器例えば再生装置２とを別々なものとしたので、記録媒体３を装着できる再生装置２であれば、その再生装置２の種類を選ばず再生できる。更に例えば楽曲等の入手手段と記録媒体３とを別々のものとしたので、その入手手段によらず例えば異なる光ディスク４による情報入手であっても、再生が可能であり著作権の保護を図りながらより自由で容易な楽曲等の情報の利用を可能とできる。
【０２１２】
また、携帯電話８０で解読鍵生成情報を生成し記録媒体に解読鍵情報等を記録することとしたので、携帯電話８０の機能を有効に活用でき再生装置２の構造を簡単化でき、コストの軽減を図れると共に携帯電話８０の大きな表示画面や種類の豊富な操作ボタン８５によりユーザーの利便性を増すことができる。
【０２１３】
更に携帯電話８０の解読鍵取得・削除機構２９０は、ＣＰＵ２８４の制御下、記録媒体３に解読鍵情報等の書き込みがなされたと判断したときは、一時的にＲＡＭ２８５等に格納された解読鍵情報等のデータを削除する。これによって、記録媒体３と独立して何れかの電子機器に同じ解読鍵が存在することを防ぐことができ、違法な楽曲の復号化を防ぎ著作権の保護を図ることができる。
【０２１４】
また、例えば楽曲の再生が終了したときは再生装置２自体からその解読鍵等の情報を削除することとしたので、所定の楽曲等を復号化するために例えば再生装置２自体に解読鍵等の情報を取り込んだとしても、解読鍵等の情報が違法に複製されることを防げる。
【０２１５】
次に、本発明の第３の実施形態に係る電子機器システムについて説明する。
【０２１６】
本実施形態については第１の実施形態と異なり電子機器システムの電子機器の例としてのパーソナルコンピュータを中心に説明する。また、第３の実施形態ではパーソナルコンピュータ自体で、解読鍵情報等を生成するサーバー５とネットワーク７を介し接続する点も第１の実施形態と異なる。ただし、パーソナルコンピュータ等もその構成や動作は第１の実施形態とほぼ同様であるので、異なる点を中心に説明しその他はその説明を省略する。また、以下の説明で第１の実施形態で示した構成要素と同一の構成要素については同一の符号を付すものとし、その説明を省略する。
【０２１７】
図１３は本発明の第３の実施形態に係る電子機器システムの概略説明図、図１４は第３の実施形態に係る電子機器システムの概略ブロック図、図１５はパーソナルコンピュータで解読鍵情報等を記録するフローチャート、図１６はパーソナルコンピュータで再生する場合のフローチャート及び図１７は他の電子機器で再生する場合の電子機器システムの概略説明図である。
【０２１８】
図１３に示すように電子機器システム１は、例えばパーソナルコンピュータ３００、パーソナルコンピュータ３００に着脱可能な記録媒体３、解読鍵情報を生成しパーソナルコンピュータ３００に送信するサーバー５及びパーソナルコンピュータ３００とサーバー５とをつなぐインターネット等のネットワーク７等により構成されている。
【０２１９】
まず、パーソナルコンピュータ３００の構成について第１の実施形態と異なる点を中心に説明する。
【０２２０】
ここで、パーソナルコンピュータ３００は例えば図１３及び図１４に示すように操作情報等を入力したり音響情報、映像情報及び文字情報等を出力したりする入出力部１０、記録媒体３やサーバー５等との情報のやり取りをするインターフェース部１１及び情報の入出力や選択等を制御する制御部１２等を有する。
【０２２１】
また、入出力部１０は例えば希望の楽曲や再生条件を選択等し入力する操作部１３、映像情報及び文字情報等を表示する表示部１４及び例えば楽曲等を出力する音響出力装置１５等を備える。
【０２２２】
更に操作部１３は、例えば図１３に示すようにパーソナルコンピュータ３００の本体内側前面に配置された操作ボタン１６等を有する。操作ボタン１６は電源の投入や楽曲、再生条件等を制御部１２の制御下選択し実行させるものである。
【０２２３】
表示部１４は、例えば図１３に示すようにパーソナルコンピュータ３００の本体内側前面の一方に表示面１８がくるように形成されており、例えば楽曲や再生条件等の文字情報やゲーム等の映像情報等が制御部１２の制御下表示され、カラー液晶表示装置等が用いられている。
【０２２４】
また、音響出力装置１５は例えば図１３に示すように再生装置２の本体内側前面に配置され、スピーカー等により楽曲を聴くこともできる。
【０２２５】
尚、例えば操作ボタン１６の位置や個数更に表示面１８の位置や大きさは説明の都合上のものであり図１３の示すものに限られるものではない。
【０２２６】
インターフェース部１１は、例えば図１３及び図１４に示すように記録媒体３と制御部１２等とを接続する第１インターフェース２０及びその記録媒体３の着脱ができるようにメモリスロット２１を備え、更にネットワーク７を介しサーバー５やＷｅｂ上のコンテンツ等と制御部１２等とを接続する第２インターフェース３２２等を備えている。
【０２２７】
また、メモリスロット２１は後述する解読鍵取得・削除機構からの解読鍵情報等の削除の情報により、メモリスロット２１に装着された記録媒体３の排出をロックする図示しないロック機構が外れるようになっている。
【０２２８】
更に、制御部１２は例えば図１４に示すようにＣＰＵ２４、ＲＡＭ２５、ＲＯＭ２６、データ格納部２７及びソフトウエア格納部２８等が備えられている。
【０２２９】
また、データ格納部２７にはコンテンツデータ３３６、履歴データ２９及び課金データ３０が格納されている。
【０２３０】
ここで、コンテンツデータ３３６は例えばＷｅｂ上のコンテンツの楽曲やその再生条件のデータがデータベース化されており、そのデータの中には暗号化されたデータも含まれる。
【０２３１】
ソフトウエア格納部２８は例えば図１４に示すように入力情報読込み機構３１、画像表示機構３２、再生機構３３３、解読鍵取得・削除機構３４及びデータ送信機構３５等を有する。
【０２３２】
ここで、入力情報読込み機構３１はＣＰＵ２４の制御下、第２インターフェース３２２を介して送信されたＷｅｂ上のコンテンツによる例えば楽曲データやその楽曲の再生条件等のデータを読込み、そのデータの全部或は一部が暗号化されているか判断しその結果を画像表示機構３２等に伝える。更に、必要に応じてＣＰＵ２４の制御下、第２インターフェース３２２を介して送信されたＷｅｂ上のコンテンツによる例えば楽曲データやその楽曲の再生条件等のデータをコンテンツデータ３３６に格納することもできる。
【０２３３】
また、入力情報読込み機構３１はＣＰＵ２４の制御下例えば記録媒体３からの解読鍵情報等を第１インターフェース２０を介して読込み、その読込んだ情報を再生機構３３３、解読鍵取得・削除機構３４等に受け渡すこと等ができる。
【０２３４】
更に入力情報読込み機構３１は、ＣＰＵ２４の制御下例えば操作部１３の操作ボタン１６等からの入力情報を読込み、再生対象の楽曲及び再生条件を特定しその情報を再生機構３３３、解読鍵取得・削除機構３４等に受け渡すこともできる。
【０２３５】
また、再生機構３３３はＣＰＵ２４の制御下例えば再生対象の楽曲及び再生条件を特定した情報を入力情報読込み機構３１から受取ったときは、その再生条件が試聴であるときは例えば楽曲の再生開始から３０秒程度の暗号化されていないデータをコンテンツデータ３３６から読出し再生する。
【０２３６】
更に再生機構３３３はその再生データを入出力部１０の音響出力装置１５に受渡し、例えばスピーカーで聴くことが可能となる。
【０２３７】
また、再生機構３３３はその再生条件が暗号化された部分も含め聴くものであるときは、ＣＰＵ２４の制御下例えば記録媒体３から再生しようとする楽曲等に個別的に付けられた特定情報であって暗号化された特定情報を読込む。
【０２３８】
再生機構３３３はＷｅｂ上のコンテンツより入手した暗号化された特定情報と記録媒体３から読込まれた特定情報とを夫々復号化し、双方を比較し一致するか判断することができる。これにより、記録媒体３に記録された特定の楽曲に関する解読鍵情報が、再生しようとする楽曲の適法な解読鍵情報であることが確認できることとなる。
【０２３９】
次に、再生機構３３３は暗号化された解読鍵情報を入手し復号化し、復号化された解読鍵情報で再生しようとする楽曲がその再生条件で復号化できるか判断する。
【０２４０】
再生機構３３３は、復号化できると判断したときはコンテンツデータ３３６から送られてくる情報を再生しながら復号化し、その復号化された楽曲の情報を入出力部１０の音響出力装置１５に受け渡す。これにより、例えば音響出力装置１５のスピーカーで希望の楽曲を希望する再生条件で聴くことが可能となる。
【０２４１】
また、データ送信機構３５はＣＰＵ２４の制御下例えば解読鍵取得・削除機構３４から解読鍵生成情報を受取ったときは、ネットワーク７を介しサーバー５に送信する。すると所定の手続きを経て解読鍵の生成条件に適合すれば、サーバー５から解読鍵情報等がパーソナルコンピュータ３００の制御部１２に送付される。
【０２４２】
次に、サーバー５もその構成は第１の実施形態とほぼ同様であるので、異なる点を中心に説明しその他はその説明を省略する。
【０２４３】
サーバー５は解読鍵情報等を生成し、パーソナルコンピュータ３００に送信すること等を主たる目的とするものであり、例えば図１４に示すようにキーボード、ディスプレー及びスピーカー等の入出力部３６、パーソナルコンピュータ３００等とネットワーク７を介して情報のやり取りをするインターフェース部３７及び情報の入出力や解読鍵生成等を制御する制御部３８等を有する。
【０２４４】
また、制御部３８は例えば図１４に示すようにＣＰＵ３９、ＲＡＭ４０、ＲＯＭ４１、データ格納部４２及びソフトウエア格納部４３等が備えられている。
【０２４５】
更にデータ格納部４２には、例えば図１４に示すように認証データ４４、再生対象・条件データ４５、課金データ４６及び解読鍵生成データ４７等が備えられている。
【０２４６】
ここで、認証データ４４は例えば再生しようとする楽曲等に個別的に付けられ暗号化された特定情報と同じ情報が格納されデータベース化されていて、パーソナルコンピュータ３００からネットワーク７を介して送信された楽曲等を特定する暗号化された特定情報と比較し、その解読鍵の請求の正当性を判断するデータとするものである。
【０２４７】
次に、ソフトウエア格納部４３は例えば図１４に示すように入力情報読込み機構４８、認証機構４９、データ送信機構５０、解読鍵生成機構５１及び課金情報生成機構５２等を有する。
【０２４８】
ここで、データ送信機構５０は、ＣＰＵ３９の制御下例えば認証機構４９から特定情報、解読鍵生成機構５１から解読鍵情報及び課金情報生成機構５２から課金情報を受取ったときは、ネットワーク７を介しパーソナルコンピュータ３００の制御部１２に送信する。また、課金情報は例えばインターネットプロバイダーにも送信する。
【０２４９】
次に、以上のように構成された電子機器である電子機器システム１の動作をパーソナルコンピュータ３００による再生を中心に説明する。尚、第３の実施形態の電子機器システム１の動作も第１の実施形態の電子機器システム１の動作とほぼ同様であり、相違点は第３の実施形態では例えばパーソナルコンピュータ３００により解読鍵生成情報が生成され、サーバー５から送られた解読鍵情報等をパーソナルコンピュータ３００により記録媒体３に記録されることにあるので、その点を中心に説明し第１の実施形態と同様の所はその説明を省略する。
【０２５０】
まず、パーソナルコンピュータ３００による解読鍵生成情報の生成とサーバー５から送られた解読鍵情報等を記録媒体３に記録する動作について図１５に基づいて説明する。
【０２５１】
前提として例えばＷｅｂ上のコンテンツの複数の楽曲等が、暗号化されて配信サービスを受けられるものとする。そのコンテンツの一つを例えばダウンロードして手持ちのパーソナルコンピュータ３００により再生しようとしたとして、以下電子機器システム１の動作について説明する。
【０２５２】
まず、操作ボタン１６等からの入力情報によりＣＰＵ２４は例えばパーソナルコンピュータ３００のコンテンツデータ３３６に格納した楽曲及び再生条件等のデータを入力情報読込み機構３１により、読み出させる。
【０２５３】
また、ＣＰＵ２４は読み出させた楽曲及び再生条件等のデータを例えば楽曲が何曲あってどんな曲名であるか、更には再生条件はどうか或は暗号化されているか等を入力情報読込み機構３１に判断させる（ＳＴ４０１）。
【０２５４】
更にＣＰＵ２４は、入力情報読込み機構３１に読込まれた情報を画像表示機構３２に送らせ、表示部１４の表示面１８に文字等で表示させる。これによって、ユーザーはコンテンツの内容例えばどのような楽曲が収録されているか、試聴が可能か等を知ることができる。
【０２５５】
ここで、すべて暗号化されていないと判断された場合は、記録媒体３に解読鍵情報を記録する必要がないので、解読鍵情報を記録する動作は終了する。
【０２５６】
一方、一部でも暗号化されており試聴が可能である場合は試聴するかの判断がなされるが、例えば所定時間内に操作ボタン１６等の入出力部１０から試聴するとの入力がされたかにより、入力情報読込み機構３１が判断するものとすることもできる（ＳＴ４０２）。
【０２５７】
試聴するものと判断され、試聴する楽曲の選択情報が操作ボタン１６等の入出力部１０から入力されると（ＳＴ４０３）、ＣＰＵ２４は例えば楽曲の再生開始から３０秒程度の暗号化されていないデータを再生するように、入力情報読込み機構３１に読み出させた楽曲等の情報を再生機構３３に送る。
【０２５８】
これによって再生機構３３は暗号化されていないデータを再生し、ＣＰＵ２４の制御下再生された楽曲等の情報を入出力部１０の音響出力装置１５等に受け渡す。これで、例えば音響出力装置１５のスピーカーで試聴することが可能となる（ＳＴ４０４）。
【０２５９】
尚、ＳＴ４０２で試聴しないと判断されたときはＳＴ４０５に進むものとする。
【０２６０】
次に、ＣＰＵ２４は入力情報読込み機構３１に暗号化された楽曲の解読鍵情報等の取得かどうか判断させる（ＳＴ４０５）。
【０２６１】
暗号化された楽曲の解読鍵情報等を取得すると判断されたときは、ＣＰＵ２４は解読鍵情報等を取得する楽曲及び再生回数や楽曲の歌詞の文字情報も追加する等の再生条件を決定するように、画像表示機構３２に表示面１８に文字情報等を表示させる。
【０２６２】
ユーザーが操作ボタン１６等により楽曲及び再生条件を入力し決定（ＳＴ４０６）したときは、ＣＰＵ２４はその情報を入力情報読込み機構３１に読込ませ、解読鍵取得・削除機構３４に受け渡させる。
【０２６３】
また、ＣＰＵ２４は例えば解読鍵取得・削除機構３４に記録媒体３がメモリスロット２１に装着されているか判断させる（ＳＴ４０７）。
【０２６４】
装着されていないと判断されたときは、ＣＰＵ２４は解読鍵取得・削除機構３４によって画像表示機構３２にエラー表示させ、ＳＴ４０７の前に戻らせる。
【０２６５】
装着されていると判断されたときは、ＣＰＵ２４は解読鍵取得・削除機構３４に入力情報読込み機構３１からの解読鍵情報等を入手するとの情報と復号化しようとする楽曲のＵＲＬ、その楽曲の再生条件、その楽曲等を特定する暗号化された特定情報及び個人情報等とを解読鍵生成情報としてデータ送信機構３５に受け渡させる。
【０２６６】
更にＣＰＵ２４は、データ送信機構３５に解読鍵取得・削除機構３４から受取った解読鍵生成情報を、例えば第２インターフェース３２２からネットワーク７を介してサーバー５に送信する（ＳＴ４０８）。
【０２６７】
次に、例えばサーバー側ＣＰＵ３９はサーバー側のインターフェース部３７に受信された（ＳＴ４０９）解読鍵生成情報を入力情報読込み機構４８に読込ませ、解読鍵情報等を入手するとの情報が含まれていると判断したときは、その解読鍵生成情報を認証機構４９に受け渡させる。
【０２６８】
また、サーバー側ＣＰＵ３９は例えば認証機構４９に入力情報読込み機構４８から受け渡された解読鍵生成情報に含まれる暗号化された特定情報を復号化させる。更にサーバー側ＣＰＵ３９は認証機構４９にその復号化された特定情報に対応する暗号化された特定情報を、データ格納部４２に格納された認証データ４４から読出して復号化させ、その両者を比較して一致するか判断させる（ＳＴ４１０）。
【０２６９】
サーバー側ＣＰＵ３９は一致しないと認証機構４９が判断した場合は、認証機構４９にデータ送信機構５０からエラーメッセージをネットワーク７を介して、パーソナルコンピュータ側の制御部１２に送信させる（ＳＴ４１１）。
【０２７０】
次に、パーソナルコンピュータ側のＣＰＵ２４は第２インターフェース３２２を介し送信されたエラーメッセージを入力情報読込み機構３１に読込ませ、画像表示機構３２にその内容を表示部１４の表示面１８に表示させる（ＳＴ４１２）。その表示がされたときは、ＳＴ４０６の前のステップに戻り楽曲や再生条件等を決定し直すこととなる。
【０２７１】
また、サーバー側ＣＰＵ３９は認証機構４９から認証データ４４に格納された特定情報とパーソナルコンピュータ３００から送られた特定情報とが一致するとの情報を受取ったときは、解読鍵生成機構５１にデータ格納部４２の再生対象・条件データ４５にその入力された楽曲の例えばＵＲＬ、再生条件等と適合するデータがあるか判断させる（ＳＴ４１３）。
【０２７２】
サーバー側ＣＰＵ３９は、適合するデータがないと解読鍵生成機構５１が判断した場合は、データ送信機構５０からエラーメッセージをネットワーク７を介してパーソナルコンピュータ側の制御部１２に送信させる（ＳＴ４１４）。
【０２７３】
次に、パーソナルコンピュータ側のＣＰＵ２４は第２インターフェース３２２を介し送信されたエラーメッセージを入力情報読込み機構３１に読込ませ、画像表示機構３２にその内容を表示部１４の表示面１８に表示させる（ＳＴ４１５）。その表示がされたときは、ＳＴ４０６の前のステップに戻り楽曲や再生条件等を決定し直すこととなる。
【０２７４】
また、サーバー側ＣＰＵ３９は適合するデータがあると解読鍵生成機構５１が判断した場合は、更に解読鍵生成機構５１に例えば公開鍵や秘密鍵等を用いて暗号化された楽曲や再生条件の情報を復号化のための解読鍵情報を生成させ、課金情報生成機構５２に解読鍵情報を生成したとの情報を受け渡させる。
【０２７５】
解読鍵生成機構５１から解読鍵情報が生成されたとの情報を受取った課金情報生成機構５２はＣＰＵ３９の制御下、例えばその再生楽曲及び再生条件等に基づき課金データ４６から課金計算のためのデータを読出し、課金情報を生成する（ＳＴ４１６）。
【０２７６】
更にサーバー側ＣＰＵ３９は、例えば認証機構４９から特定情報、解読鍵生成機構５１から解読鍵情報及び課金情報生成機構５２から課金情報を受取ったときは、データ送信機構５０に例えばネットワーク７を介しパーソナルコンピュータ３００の制御部１２に送信させる（ＳＴ４１７）。また、課金情報は例えばインターネットプロバイダーにも送信させる。
【０２７７】
次に、パーソナルコンピュータ側のＣＰＵ２４は第２インターフェース３２２を介し受信された（ＳＴ４１８）特定情報、解読鍵情報及び課金情報を入力情報読込み機構３１に読込ませ、特定情報及び解読鍵情報を解読鍵取得・削除機構３４に受け渡させ、課金情報をデータ格納部２７の課金データ３０に格納させる。
【０２７８】
更にパーソナルコンピュータ側のＣＰＵ２４は特定情報及び解読鍵情報を受取った解読鍵取得・削除機構３４に記録媒体３にその特定情報及び解読鍵情報を記録させる（ＳＴ４１９）。
【０２７９】
以上の動作によりパーソナルコンピュータ３００による解読鍵情報等を記録媒体３に記録する動作が終了する。
【０２８０】
次に、解読鍵情報等が記録された記録媒体３によるパーソナルコンピュータ３００の再生の動作を説明する。尚、パーソナルコンピュータ３００の再生の動作も第１の実施形態の動作とほぼ同様であるので、図１６に示すフローチャートに基づき説明し、第１の実施形態と異なる点を中心に説明する。尚、図１６中のステップ番号は図７のステップ番号に夫々対応している。
【０２８１】
まず、操作ボタン１６等からの入力情報によりＣＰＵ２４は例えばパーソナルコンピュータ３００のコンテンツデータ３３６に格納した楽曲及び再生条件等のデータを入力情報読込み機構３１により、読み出させる。
【０２８２】
また、ＣＰＵ２４は読み出させた楽曲及び再生条件等のデータを例えば楽曲が何曲あってどんな曲名であるか、更には再生条件はどうか或は暗号化されているか等を入力情報読込み機構３１に判断させる（ＳＴ５０１）。
【０２８３】
更にＣＰＵ２４は、入力情報読込み機構３１に読込まれた情報を画像表示機構３２に送らせ、表示部１４の表示面１８に文字等で表示させる。これによって、ユーザーはコンテンツの内容例えばどのような楽曲が収録されているか、試聴が可能か等を知ることができる。
【０２８４】
また、図１６に示すようにＣＰＵ２４は例えば入力情報読込み機構３１に楽曲を再生するかどうか判断させる（ＳＴ５０２）。具体的には、所定の時間内に操作ボタン１６等の操作により入力情報読込み機構３１に楽曲を再生するとの入力情報が受け渡されなかったときは、入力情報読込み機構３１に楽曲を再生しないものと判断させることができる。
【０２８５】
ここで、入力情報読込み機構３１に楽曲を再生しないものと判断させた場合は、ＳＴ５０１においてすべて暗号化されていないと判断された場合同様、電子機器システム１で解読鍵情報等を取得し、それが記録された記録媒体３により復号化させ再生する必要がないので、電子機器システム１での解読鍵情報等に関する動作は終了する。勿論、この場合も、電子機器システム１ですべて暗号化されていない例えば楽曲等をパーソナルコンピュータ３００の再生機構３３３等により普通に再生できることは言うまでもない。
【０２８６】
更に第１の実施形態の動作の「更にＣＰＵ２４は、ＳＴ２０２で入力情報読込み機構３１に再生すると判断させた場合は、再生機構３３に再生する例えば楽曲の曲名、歌手名等の情報及び再生の回数や再生に歌詞を付けるとかの再生条件の情報等を操作ボタン１６等で入力できるように画像表示機構３２によって表示部１４の表示面１８に入力画面等を表示させる。」から「更に再生機構３３が、記録媒体３が装着されていると判断した場合はＣＰＵ２４は再生機構３３に解読鍵情報等を記録媒体３から読込ませる（ＳＴ２０５）。」までは、第３の実施形態においても同様なのでその説明は省略する。
【０２８７】
次に、ＣＰＵ２４は例えば再生機構３３に入力情報読込み機構３１等により受け渡された暗号化された特定情報と記録媒体３から読込まれた暗号化された特定情報とを夫々復号化し、双方を比較し一致するか判断させる（ＳＴ５０６）。
【０２８８】
ここで、再生機構３３が双方を比較し一致しないと判断したときはＣＰＵ２４は、例えば画像表示機構３２にその情報を表示部１４の表示面１８に表示させ、ＳＴ５０３の前のステップに戻り楽曲や再生条件等を入力し直すこととなる。
【０２８９】
これにより、記録媒体３に記録された特定の楽曲に関する解読鍵情報が、再生しようとするコンテンツに記録された楽曲の適法な解読鍵情報であることが確認できることとなる。
【０２９０】
また、再生機構３３が双方を比較し一致すると判断したときはＣＰＵ２４は、再生機構３３に暗号化された解読鍵情報等を復号化させ、復号化された解読鍵情報等で再生しようとする楽曲がその再生条件で復号化できるか判断させる（ＳＴ５０７）。例えば、操作ボタン１６による入力情報である歌詞を文字情報で表示させるという再生条件が、解読鍵情報等の再生条件と一致しないような場合は、再生機構３３は復号化できないと判断する。
【０２９１】
再生機構３３が復号化できないと判断したときはＣＰＵ２４は、例えば画像表示機構３２にその情報を表示部１４の表示面１８に表示させ、ＳＴ５０３の前のステップに戻り楽曲や再生条件等を入力し直すこととなる。
【０２９２】
次に、ＣＰＵ２４は再生機構３３が復号化できると判断したときは入力情報読込み機構３１から送られてくる情報を、再生条件に従い再生しながら復号化する（ＳＴ５０８）。更に再生機構３３はその復号化された楽曲の情報を入出力部１０の音響出力装置１５に受け渡す。これにより、例えば音響出力装置１５に設けられたスピーカーで、希望の楽曲を希望する再生条件で聴くことが可能となる。
【０２９３】
また、第１の実施形態の動作の「また、ＣＰＵ２４は再生条件に従い例えば楽曲の再生が終了したとき（ＳＴ２０９）は再生機構３３に、解読鍵取得・削除機構３４へ楽曲の再生が終了したとの情報を受け渡させる。」から「また、解読鍵取得・削除機構３４がＲＡＭ２５等に格納された解読鍵情報等のデータが削除されていないと判断したときは、ＣＰＵ２４は例えば画像表示機構３２にその情報を表示部１４の表示面１８に表示させ、ＳＴ２１２の前のステップに戻りＲＡＭ２５等に格納された解読鍵情報等のデータを削除し直すこととなる。」までは、第３の実施形態においても同様なのでその説明は省略する。
【０２９４】
次にこれによって、記録媒体３と独立して何れかの電子機器例えばパーソナルコンピュータに同じ解読鍵情報等が存在することを防ぐことができ、違法な楽曲の復号化を防ぎ著作権の保護を図ることができる。
【０２９５】
以上で解読鍵情報等が記録された記録媒体３によるパーソナルコンピュータ３００の再生の動作が終了する。
【０２９６】
このように本実施形態によれば、電子機器システム１は暗号化されたデータ例えば楽曲等を復号化する鍵情報例えば解読鍵情報等を記録する記録媒体３と、その暗号化されたデータを入手し鍵情報に基づき暗号化されたデータの再生を制御する手段を有する電子機器例えばパーソナルコンピュータ３００とを別々なものとしたので、記録媒体３を装着できる電子機器であれば、パーソナルコンピュータ３００に限られず再生可能である。更に暗号化されたデータの入手手段と記録媒体３とを別々のものとしたので、例えば図１７に示すように他の電子機器である再生装置２と記録媒体３及び光ディスク４とによっても再生できる。
【０２９７】
また、Ｗｅｂ上のコンテンツの情報自体には復号化するための解読鍵情報等を含めないで、例えばコンテンツの情報やパーソナルコンピュータ３００と独立した記録媒体に解読鍵情報等を記録することとしたので、異なるＷｅｂ上のコンテンツによる情報入手であっても、再生が可能であり著作権の保護を図りながらより自由で容易な楽曲等の情報の利用を可能とすることができる。
【０２９８】
更に例えば楽曲の再生が終了したときは、パーソナルコンピュータ３００自体からその解読鍵等の情報を削除することとしたので、所定の楽曲等を復号化するために例えばパーソナルコンピュータ３００自体に解読鍵等の情報を取り込んだとしても、解読鍵等の情報が違法に複製されることを防げる。
【０２９９】
また、例えば楽曲等の情報をインターネット等のネットワークを利用して入手できるので、場所や時間を選ばず膨大な情報を入手できる。
【０３００】
尚、本発明は上述したいずれの実施形態にも限定されず、本発明の技術思想の範囲内で適宜変更して実施できる。
【０３０１】
例えば上述した実施形態では、暗号化されたデータの例として楽曲を中心に説明したがこれに限られるものではなく、例えば静止画や動画等の映像情報や文字情報も電子機器システム１で実施できる。これにより、あらゆる情報例えば映画やゲーム等も所定の再生条件の下それらの情報の媒体が異なっても、著作権の保護を図りながら再生でき、ユーザーの利便性が増加する。
【０３０２】
また、上述した実施形態ではパーソナルコンピュータ３００で例えば楽曲等をＷｅｂ上のコンテンツ等から入手し、更に解読鍵情報等を取得し記録媒体３に記録して、パーソナルコンピュータ３００で復号化しながら再生したが、これに限られるものではない。例えばパーソナルコンピュータ３００でなく携帯電話で楽曲等をＷｅｂ上のコンテンツ等から入手し、更に解読鍵情報等を取得し記録媒体３に記録して、復号化しながら再生してもよい。
【０３０３】
これにより、解読鍵情報等が記録された記録媒体３と携帯電話さえあれば極めて簡単でかつ迅速に、しかも再生場所や時間を選ばず著作権の保護を図りながら再生でき、ユーザーの利便性が更に増加する。
【０３０４】
更に上述した実施形態ではパーソナルコンピュータ３００で例えば希望の楽曲をダウンロードして、これを再生するものとして説明したがこれに限られるものではなく、例えばストリーミングで再生するものであっても良い。これによって、ユーザーはより迅速に再生できかつ、再生される情報の全体が必ずしもパーソナルコンピュータ３００で揃うとは限らないので、情報の不正使用がされにくく著作権の保護をより図れることとなる。
【０３０５】
また、上述した実施形態では解読鍵情報等の記録媒体３への記録は、例えばとしてユーザーが手持ちの再生装置２或は携帯電話８０、更にはパーソナルコンピュータ３００等で記録するとして説明したがこれに限られるものではなく、例えば記録媒体３への記録を代行して行ったり、或は既に解読鍵情報等の記録がなされた記録媒体３を、ユーザーに販売したりしても良い。
【０３０６】
これにより、ユーザーはより簡易に解読鍵情報等の記録された記録媒体３を入手でき、しかも情報の著作権保護も図れることとなる。
【０３０７】
【発明の効果】
以上説明したように、本発明では情報の著作権としての保護を図りながらユーザーの利便性をより向上させ、その情報を再生することができる。
【図面の簡単な説明】
【図１】本発明の第１の実施形態に係る電子機器システムの概略説明図である。
【図２】本発明の第１の実施形態に係る再生装置の外観説明図である。
【図３】本発明の第１の実施形態に係る再生装置の概略斜視図である。
【図４】本発明の第１の実施形態に係る携帯電話の外観説明図である。
【図５】本発明の第１の実施形態に係る電子機器システムの概略ブロック図である。
【図６】本発明の第１の実施形態に係る記録媒体に解読鍵を記録する場合のフローチャートである。
【図７】本発明の第１の実施形態に係る再生装置で例えば楽曲を再生する場合のフローチャートである。
【図８】本発明の第２の実施形態に係る電子機器システムの概略説明図である。
【図９】本発明の第２の実施形態に係る携帯電話の外観概略図である。
【図１０】本発明の第２の実施形態に係る電子機器システムの概略ブロック図である。
【図１１】本発明の第２の実施形態に係る携帯電話の制御部の概略ブロック図である。
【図１２】本発明の第２の実施形態に係る記録媒体に解読鍵を記録する場合のフローチャートである。
【図１３】本発明の第３の実施形態に係る電子機器システムの概略説明図である。
【図１４】本発明の第３の実施形態に係る電子機器システムの概略ブロック図である。
【図１５】本発明の第３の実施形態に係るパーソナルコンピュータで解読鍵情報等を記録するフローチャートである。
【図１６】本発明の第３の実施形態に係るパーソナルコンピュータで再生する場合のフローチャートである。
【図１７】本発明の第３の実施形態に係る他の電子機器で再生する場合の電子機器システムの概略説明図である
【符号の説明】
１  電子機器システム
２  再生装置
３  記録媒体
４  光ディスク
５  サーバー
７  ネットワーク
８  光学ピックアップ部
９  駆動部
１０、３６、８８  入出力部
１１、３７、８７  インターフェース部
１２、３８、８９  制御部
１３  操作部
１４、８４  表示部
１５  音響出力装置
１６、８５  操作ボタン
１７  ダイヤル
１８  表示面
１９  出力端子
２０  第１インターフェース
２１、２２１  メモリスロット
２２、３２２  第２インターフェース
２３  第３インターフェース
２４、３９、２８４  ＣＰＵ
２５、４０、２８５  ＲＡＭ
２６、４１、２８６  ＲＯＭ
２７、４２  データ格納部
２８、４３、２８７  ソフトウエア格納部
２９  履歴データ
３０、４６  課金データ
３１、４８、２８８  入力情報読込み機構
３２、２８９  画像表示機構
３３、３３３  再生機構
３４、２９０  解読鍵取得・削除機構
３５、５０、２９１  データ送信機構
４４  認証データ
４５  再生対象・条件データ
４７  解読鍵生成データ
４９  認証機構
５１  解読鍵生成機構
５２  課金情報生成機構
８０  携帯電話
８１  携帯電話本体
８２  アンテナ
８３  スピーカー
８６  マイク
２３４  解読鍵準備・削除機構
３００  パーソナルコンピュータ
３３６  コンテンツデータ
【図１】
2004350161.tif 000003
【図２】
2004350161.tif 000004
【図３】
2004350161.tif 000005
【図４】
2004350161.tif 000006
【図５】
2004350161.tif 000007
【図６】
2004350161.tif 000008
【図７】
2004350161.tif 000009
【図８】
2004350161.tif 000010
【図９】
2004350161.tif 000011
【図１０】
2004350161.tif 000012
【図１１】
2004350161.tif 000013
【図１２】
2004350161.tif 000014
【図１３】
2004350161.tif 000015
【図１４】
2004350161.tif 000016
【図１５】
2004350161.tif 000017
【図１６】
2004350161.tif 000018
【図１７】
2004350161.tif 000019